(57)【特許請求の範囲】
【請求項１】
ワイヤレスデバイスを動作させる方法であって、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、方法。
【請求項２】
構成情報に基づいて、前記複数の第１のシンボルに関連付けられた前記第１のトーンプランを決定することと、
前記構成情報に基づいて、前記複数の第２のシンボルに関連付けられた前記第２のトーンプランを決定することと
をさらに備える、請求項１に記載の方法。
【請求項３】
前記第２の有効な開始トーンインデックスが前記第１の有効な開始トーンインデックスの関数であり、前記第２の有効な終了トーンインデックスが前記第１の有効な終了トーンインデックスの関数である、請求項１に記載の方法。
【請求項４】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項１に記載の方法。
【請求項５】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項１に記載の方法。
【請求項６】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項１に記載の方法。
【請求項７】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項１に記載の方法。
【請求項８】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項１に記載の方法。
【請求項９】
ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項１に記載の方法。
【請求項１０】
前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、請求項１に記載の方法。
【請求項１１】
前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、請求項１に記載の方法。
【請求項１２】
前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、請求項１に記載の方法。
【請求項１３】
前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、請求項１に記載の方法。
【請求項１４】
ＬＴＦシンボルオーバーヘッドを低減するために、各それぞれのＬＴＦシンボル内の複数のトーンが、グループ数に従ってグループ化される、請求項１に記載の方法。
【請求項１５】
ＬＴＦシンボルオーバーヘッドを低減するために、各それぞれのＬＴＦシンボル内の前記第２のシンボル持続時間および情報が圧縮される、請求項１に記載の方法。
【請求項１６】
各それぞれのＬＴＦシンボルの前記第２の有効な開始トーンインデックスおよび前記第２の有効な終了トーンインデックスが、第３の有効な開始トーンインデックスまたは第３の有効な終了トーンインデックスのうちの少なくとも１つに基づいて圧縮される、請求項１５に記載の方法。
【請求項１７】
前記複数の第２のシンボル中で前記ＬＴＦを送信することが、前記複数の第２のシンボルに関連付けられたトーンインデックスのアップシフトされたサブセット中で前記ＬＴＦを送信することを含む、請求項１に記載の方法。
【請求項１８】
前記複数の第２のシンボル中で前記ＬＴＦを送信することが、前記複数の第２のシンボルに関連付けられたトーンインデックスのダウンシフトされたサブセット中で前記ＬＴＦを送信することを含む、請求項１に記載の方法。
【請求項１９】
ワイヤレス通信のための装置であって、
複数の第１のシンボル中でユーザデータを送信するための手段と、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信するための手段と、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、装置。
【請求項２０】
前記第２の有効な開始トーンインデックスが前記第１の有効な開始トーンインデックスの関数であり、前記第２の有効な終了トーンインデックスが前記第１の有効な終了トーンインデックスの関数である、請求項１９に記載の装置。
【請求項２１】
ワイヤレス通信のための装置であって、
メモリと、
前記メモリに結合された少なくとも１つのプロセッサと
を備え、前記少なくとも１つのプロセッサは、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うように構成された、
装置。
【請求項２２】
前記少なくとも１つのプロセッサが、
構成情報に基づいて、前記複数の第１のシンボルに関連付けられた前記第１のトーンプランを決定することと、
前記構成情報に基づいて、前記複数の第２のシンボルに関連付けられた前記第２のトーンプランを決定することと
を行うようにさらに構成された、請求項２１に記載の装置。
【請求項２３】
前記第２の有効な開始トーンインデックスが前記第１の有効な開始トーンインデックスの関数であり、前記第２の有効な終了トーンインデックスが前記第１の有効な終了トーンインデックスの関数である、請求項２１に記載の装置。
【請求項２４】
ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、請求項２１に記載の装置。
【請求項２５】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、請求項２１に記載の装置。
【請求項２６】
ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、請求項２１に記載の装置。
【請求項２７】
ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、請求項２１に記載の装置。
【請求項２８】
ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項２１に記載の装置。
【請求項２９】
ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、請求項２１に記載の装置。
【請求項３０】
前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、請求項２１に記載の装置。
【請求項３１】
前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、請求項２１に記載の装置。
【請求項３２】
前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、請求項２１に記載の装置。
【請求項３３】
コードを記憶している非一時的なコンピュータ可読媒体であって、前記コードは、実行されると、ワイヤレスデバイスの少なくとも１つのプロセッサに、
複数の第１のシンボル中でユーザデータを送信することと、ここにおいて、前記複数の第１のシンボルの各第１のシンボルが、データシンボルであり、前記複数の第１のシンボルの各第１のシンボルが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
複数の第２のシンボル中でロングトレーニングフィールド（ＬＴＦ）を送信することと、ここにおいて、前記複数の第２のシンボルの各第２のシンボルが、ＬＴＦシンボルであり、前記複数の第２のシンボルの各第２のシンボルが、前記第１のシンボル持続時間より短い第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行わせる、非一時的なコンピュータ可読媒体。
【発明の詳細な説明】
【技術分野】
【０００１】
関連出願の相互参照
[0001]本出願は、それらのすべての全体が参照により本明細書に明確に組み込まれる、２０１４年９月４日に出願された「Tone Plan for LTF Compression」と題する米国仮出願第６２／０４６，０８６号、２０１４年９月２４日に出願された「Tone Plan for LTF Compression」と題する米国仮出願第６２／０５４，９３２号、２０１４年１０月１６日に出願された「Tone Plan for LTF Compression」と題する米国仮出願第６２／０６４，９３５号、２０１４年１０月２２日に出願された「Tone Plan for LTF Compression」と題する米国仮出願第６２／０６７，２６０号、および２０１５年９月２日に出願された「TONE PLAN FOR LTF COMPRESSION」と題する米国特許出願第１４／８４３，５３８号の利益を主張する。
【０００２】
[0002]本開示は、一般に通信システムに関し、より詳細には、ロングトレーニングフィールド圧縮のためのトーンプランに関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【発明の概要】
【０００５】
[0005]本発明のシステム、方法、コンピュータ可読媒体、およびデバイスは、それぞれいくつかの態様を有し、それらのうちの単一の態様が、単独で、本発明の望ましい属性を担うわけではない。次に、特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるデバイスに利点をどのように提供するかが理解されよう。
【０００６】
[0006]本開示の一態様は、ワイヤレス通信のためのワイヤレスデバイス（たとえば、アクセスポイントまたは局）を提供する。ワイヤレスデバイスは、第１のシンボルタイプの第１のシンボル中でユーザデータを送信するように構成され得る。第１のシンボルタイプは、第１のシンボル持続時間と、第１の周波数帯域幅と、第１のトーンプランとを有し得る。第１のトーンプランは、第１の有効な開始トーンインデックスと、第１の有効な終了トーンインデックスと、直流（ＤＣ）トーンの第１のセットとを有し得る。ワイヤレスデバイスは、第２のシンボルタイプの第２のシンボル中でロングトレーニングフィールドを送信するように構成され得る。第２のシンボルタイプは、第２のシンボル持続時間と、第２の周波数帯域幅と、第２のトーンプランとを有し得る。第２のトーンプランは、第２の有効な開始トーンインデックスと、第２の有効な終了トーンインデックスと、ＤＣトーンの第２のセットとを有し得る。
【図面の簡単な説明】
【０００７】
【図１】[0007]本開示の態様が採用され得る、例示的なワイヤレス通信システムを示す図。
【図２】[0008]ワイヤレスネットワークとトーンプランとの図。
【図３Ａ】[0009]ＬＴＦ圧縮のためのトーンプラン／インデックスの例示的な図。
【図３Ｂ】ＬＴＦ圧縮のためのトーンプラン／インデックスの例示的な図。
【図３Ｃ】ＬＴＦ圧縮のためのトーンプラン／インデックスの例示的な図。
【図４Ａ】[0010]ＬＴＦ圧縮のためのトーンプラン／インデックスの例示的な図。
【図４Ｂ】ＬＴＦ圧縮のためのトーンプラン／インデックスの例示的な図。
【図５】[0011]図１のワイヤレス通信システム内で採用され得、変更されたトーンプランを使用し得る、ワイヤレスデバイスの機能ブロック図。
【図６】[0012]変更されたトーンプランを使用したワイヤレス通信の例示的な方法のフローチャート。
【図７】[0013]変更されたトーンプランを使用した例示的なワイヤレス通信デバイスの機能ブロック図。
【発明を実施するための形態】
【０００８】
[0014]添付の図面を参照しながら、新規のシステム、装置、コンピュータプログラム製品、および方法の様々な態様について以下でより詳細に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示する新規のシステム、装置、コンピュータプログラム製品、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【０００９】
[0015]本明細書では特定の態様について説明するが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００１０】
[0016]普及しているワイヤレスネットワーク技術は、様々なタイプのＷＬＡＮを含み得る。ＷＬＡＮは、広く使用されるネットワーキングプロトコルを採用して、近隣のデバイスを互いに相互接続するために使用され得る。本明細書で説明する様々な態様は、ワイヤレスプロトコルなど、任意の通信規格に適用され得る。
【００１１】
[0017]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、８０２．１１プロトコルに従って送信され得る。８０２．１１プロトコルの実装形態は、センサー、メータリング、およびスマートグリッドネットワークのために使用され得る。有利には、８０２．１１プロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１２】
[0018]いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局または「ＳＴＡ」とも呼ばれる）クライアントがあり得る。概して、ＡＰがＷＬＡＮのためのハブまたは基地局として働き得、ＳＴＡがＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（登録商標）（たとえば、ＩＥＥＥ８０２．１１プロトコル）準拠ワイヤレスリンクを介してＡＰに接続する。いくつかの実装形態では、ＳＴＡはまたＡＰとしても使用され得る。
【００１３】
[0019]アクセスポイントはまた、ノードＢ、無線ネットワークコントローラ（ＲＮＣ）、ｅノードＢ、基地局コントローラ（ＢＳＣ）、基地トランシーバ局（ＢＴＳ）、基地局（ＢＳ）、トランシーバ機能（ＴＦ）、無線ルータ、無線トランシーバ、接続ポイント、または何らかの他の用語を備えるか、それらのいずれかとして実装されるか、あるいはそれらのいずれかとして知られていることがある。
【００１４】
[0020]局はまた、アクセス端末（ＡＴ）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、局は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１５】
[0021]一態様では、ワイドエリアＷＬＡＮ（たとえば、Ｗｉ−Ｆｉ）接続性のために、ＭＩＭＯ方式が使用され得る。ＭＩＭＯは、マルチパスと呼ばれる電波特性を活用する。マルチパスでは、送信されたデータは、物体（たとえば、壁、ドア、家具）に当たって跳ね返り、異なるルートを通って、および異なる時間に、複数回受信アンテナに到達し得る。ＭＩＭＯを採用するＷＬＡＮデバイスが、データストリームを、空間ストリーム（またはマルチストリーム）と呼ばれる複数の部分に分割し、各空間ストリームを、別個のアンテナを通して受信ＷＬＡＮデバイス上の対応するアンテナに送信する。
【００１６】
[0022]「関連付ける」または「関連付け」という用語、あるいはそれらの任意の変形態は、本開示のコンテキスト内で可能な最も広い意味を与えられるべきである。例として、第１の装置が第２の装置との関連付けを行う（a first apparatus associates with a second apparatus）ときには、２つの装置が直接関連付けられ得るか、または中間装置が存在し得ることを理解されたい。簡潔のために、２つの装置間の関連付けを確立するためのプロセスについて、装置のうちの１つによる「関連付け要求」と、後続の、他の装置による「関連付け応答」とを必要とする、ハンドシェイクプロトコルを使用して説明する。ハンドシェイクプロトコルが、一例として、認証を行うためのシグナリングなど、他のシグナリングを必要とし得ることが、当業者には理解されよう。
【００１７】
[0023]本明細書における「第１」、「第２」などの名称を使用した要素への言及は、それらの要素の数量または順序を概括的に限定するものでない。むしろ、これらの名称は、本明細書において２つ以上の要素間またはある要素のインスタンス関を区別する便利な方法として使用される。したがって、第１の要素および第２の要素への言及は、２つの要素のみが採用され得ること、または第１の要素が第２の要素に先行しなければならないことを意味するものではない。さらに、項目のリスト「のうちの少なくとも１つ」を指すフレーズは、単一のメンバーを含む、それらの項目の任意の組合せを指す。一例として、「Ａ、Ｂ、またはＣのうちの少なくとも１つ」は、Ａ、またはＢ、またはＣ、あるいはそれらの任意の組合せ（たとえば、Ａ−Ｂ、Ａ−Ｃ、Ｂ−Ｃ、およびＡ−Ｂ−Ｃ）を包含するものとする。
【００１８】
[0024]上記で説明したように、本明細書で説明するいくつかのデバイスは、たとえば、８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。
【００１９】
[0025]図１に、本開示の態様が採用され得る、例示的なワイヤレス通信システム１００を示す。ワイヤレス通信システム１００は、ワイヤレス規格、たとえば８０２．１１規格に従って動作し得る。ワイヤレス通信システム１００は、ＳＴＡ（たとえば、ＳＴＡ１１２、１１４、１１６、および１１８）と通信するＡＰ１０４を含み得る。
【００２０】
[0026]様々なプロセスおよび方法は、ＡＰ１０４とＳＴＡとの間の、ワイヤレス通信システム１００における送信のために使用され得る。たとえば、信号は、ＯＦＤＭ／ＯＦＤＭＡ技法に従って、ＡＰ１０４とＳＴＡとの間で送信および受信され得る。そうである場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡとの間で送信および受信され得る。そうである場合、ワイヤレス通信システム１００はＣＤＭＡシステムと呼ばれることがある。
【００２１】
[0027]ＡＰ１０４からＳＴＡのうちの１つまたは複数への送信を可能にする通信リンクはダウンリンク（ＤＬ）１０８と呼ばれることがあり、ＳＴＡのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。いくつかの態様では、ＤＬ通信は、ユニキャストまたはマルチキャストトラフィック指示を含み得る。
【００２２】
[0028]ＡＰ１０４は、いくつかの態様では、ＡＰ１０４が、著しいアナログデジタル変換（ＡＤＣ）クリッピング雑音を引き起こすことなしに、同時に２つ以上のチャネル上でＵＬ通信を受信し得るように、隣接チャネル干渉（ＡＣＩ：adjacent channel interference）を抑制し得る。ＡＰ１０４は、たとえば、各チャネルについて別々の有限インパルス応答（ＦＩＲ：finite impulse response）フィルタを有することによって、または増大されたビット幅をもつより長いＡＤＣバックオフ期間を有することによって、ＡＣＩの抑制を改善し得る。
【００２３】
[0029]ＡＰ１０４は、基地局として働き、基本サービスエリア（ＢＳＡ）１０２においてワイヤレス通信カバレージを与え得る。ＢＳＡ（たとえば、ＢＳＡ１０２）は、ＡＰ（たとえば、ＡＰ１０４）のカバレージエリアである。ＡＰ１０４は、ＡＰ１０４に関連付けられた、通信のためにＡＰ１０４を使用するＳＴＡとともに、基本サービスセット（ＢＳＳ）と呼ばれることがある。ワイヤレス通信システム１００は、中央ＡＰ（たとえば、ＡＰ１０４）を有しないことがあり、むしろ、ＳＴＡ間のピアツーピアネットワークとして機能し得ることに留意されたい。したがって、本明細書で説明するＡＰ１０４の機能は、ＳＴＡのうちの１つまたは複数によって代替的に実行され得る。
【００２４】
[0030]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信し得、それは、他のノード（ＳＴＡ）がそれらのタイミングをＡＰ１０４と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含み得、それらのうちのいくつかについて以下でさらに詳細に説明する。したがって、ビーコンは、いくつかのデバイスの間で共通である（たとえば、共有される）とともに所与のデバイスに固有である、情報を含み得る。
【００２５】
[0031]いくつかの態様では、ＳＴＡ（たとえば、ＳＴＡ１１４）は、ＡＰ１０４に通信を送るために、および／またはＡＰ１０４から通信を受信するために、ＡＰ１０４と関連付けることを必要とされ得る。一態様では、関連付けるための情報が、ＡＰ１０４によってブロードキャストされるビーコン中に含まれる。そのようなビーコンを受信するために、ＳＴＡ１１４は、たとえば、カバレージ領域にわたって広カバレージ探索を実行し得る。また、探索は、ＳＴＡ１１４によって、たとえば、灯台方式でカバレージ領域を掃引することによって実行され得る。関連付けるための情報を受信した後に、ＳＴＡ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ：public switched telephone network）などのより大きいネットワークと通信するために、バックホールサービスを使用し得る。
【００２６】
[0032]一態様では、ＡＰ１０４は、様々な機能を実行するための１つまたは複数の構成要素を含み得る。たとえば、ＡＰ１０４は、第１のシンボルタイプの第１のシンボル中で１つまたは複数のＳＴＡ（たとえば、ＳＴＡ１１４）にユーザデータを送信するように構成されたトーンプラン構成要素１２４を含み得る。第１のシンボルタイプは、第１のシンボル持続時間と、第１の周波数帯域幅と、第１のトーンプランとを有し得、第１のトーンプランは、第１の有効な開始トーンインデックスと、第１の有効な終了トーンインデックスと、ＤＣトーンの第１のセットとを含み得る。トーンプラン構成要素１２４は、第２のシンボルタイプの第２のシンボル中でＬＴＦを送信するように構成され得る。第２のシンボルタイプは、第２のシンボル持続時間と、第２の周波数帯域幅と、第２のトーンプランとを有し得、第２のトーンプランは、第２の有効な開始トーンインデックスと、第２の有効な終了トーンインデックスと、ＤＣトーンの第２のセットとを有し得る。
【００２７】
[0033]別の態様では、ＳＴＡ１１４は、様々な機能を実行するための１つまたは複数の構成要素を含み得る。たとえば、ＳＴＡ１１４は、第１のシンボルタイプの第１のシンボル中で１つまたは複数のＡＰ（たとえば、ＡＰ１０４）にユーザデータを送信するように構成されたトーンプラン構成要素１２６を含み得る。第１のシンボルタイプは、第１のシンボル持続時間と、第１の周波数帯域幅と、第１のトーンプランとを有し得る。第１のトーンプランは、第１の有効な開始トーンインデックスと、第１の有効な終了トーンインデックスと、ＤＣトーンの第１のセットとを有し得る。トーンプラン構成要素１２６は、第２のシンボルタイプの第２のシンボル中でＬＴＦを送信するように構成され得る。第２のシンボルタイプは、第２のシンボル持続時間と、第２の周波数帯域幅と、第２のトーンプランとを有し、第２のトーンプランは、第２の有効な開始トーンインデックスと、第２の有効な終了トーンインデックスと、ＤＣトーンの第２のセットとを有し得る。
【００２８】
[0034]Ｗｉ−Ｆｉネットワークでは、情報の中でも、ユーザデータ、およびチャネル推定のために使用されるデータ／情報が、複数のシンボル（たとえば、ＯＦＤＭシンボル）を含むフレーム中で送信され得る。ユーザデータはデータシンボル中で送信され得、チャネル推定のために使用される情報はロングトレーニングフィールド（ＬＴＦ：long training field）シンボル中で送信され得る。各シンボルは、情報がその上で送信され得るいくつかのトーン（または周波数）を含み得る。シンボルはまた、シンボル持続時間（たとえば１ｘ、２ｘ、４ｘシンボル持続時間または１ｘシンボル持続時間の別の倍数）を有する。より長いシンボル持続時間（たとえば、１２．８μｓの４ｘシンボル持続時間）をもつシンボルが、より多くのトーンとより長い持続時間とを有し得、より短いシンボル持続時間（たとえば３．２μｓの１ｘシンボル持続時間）をもつシンボルが、より少ないトーンとより短い持続時間とを有し得る。たとえば、４ｘシンボル持続時間をもつ第１のシンボルでは、第１のシンボルは、１ｘシンボル持続時間をもつ第２のシンボルよりも時間的に４倍長くなり得る。第１のシンボルは、１ｘシンボル持続時間をもつ第２のシンボルの４倍のトーンを有し得る。第１のシンボルは、１ｘシンボル持続時間をもつ第２のシンボルと比較して、トーン間隔の１／４を有し得る。ネットワークが、ＬＴＦシンボルとデータシンボルとの中で、４ｘシンボル持続時間をもつシンボルを利用するフレームを送信する場合、ＬＴＦシンボルに関するオーバーヘッドは非常に大きくなり得る。これは、特に、マルチストリームと、短〜中間の物理レイヤコンバージェンスプロトコル（ＰＬＣＰ：Physical Layer Convergence Protocol）プロトコルデータユニット（ＰＰＤＵ：PLCP Protocol Data Unit）サイズとについて当てはまり得る。また、より長いシンボル持続時間は、所与の残差キャリア周波数オフセット（ＣＦＯ：carrier frequency offset）をもつアップリンクマルチユーザＭＩＭＯにおいてより大きい位相ドリフトを生じ得る。したがって、より長いシンボル持続時間（たとえば、４ｘシンボル持続時間）をもつＬＴＦシンボルを利用するワイヤレスネットワークにおいてＬＴＦシンボルオーバーヘッドを低減する必要がある。
【００２９】
[0035]図２は、ワイヤレスネットワーク（たとえば、Ｗｉ−Ｆｉネットワーク）とトーンプランとの図２００である。図２００は、サービスエリア２１４内でブロードキャスト／送信するＡＰ２０２を示している。ＳＴＡ２０６、２０８、２１０、２１２が、ＡＰ２０２のサービスエリア２１４内にある（４つのＳＴＡのみが図２に示されているが、より多いまたはより少ないＳＴＡがサービスエリア２１４内にあり得る）。
【００３０】
[0036]ＡＰ２０２は、１つまたは複数のフレーム中で１つまたは複数のＳＴＡ（たとえば、ＳＴＡ２０６、２０８、２１０、２１２）にシンボル（たとえば、データシンボルまたはＬＴＦシンボル）２０４を送信し得、その逆も同様である。フレーム２５０はプリアンブル２６０とデータシンボル２６８とを含み得る。プリアンブル２６０は、フレーム２５０を送信するための変調方式と、送信レートと、時間の長さとを識別する情報をもつフレーム２５０のヘッダと見なされ得る。プリアンブル２６０は、信号（ＳＩＧ）フィールド２６２と、ショートトレーニングフィールド（ＳＴＦ：short training field）２６４と、１つまたは複数のロングトレーニングフィールド（ＬＴＦ）シンボル２６６（たとえば、ＬＴＦ１、ＬＴＦ２、．．．、ＬＴＦＮ）とを含み得る。ＬＴＦシンボル２６６中の各シンボルはＬＴＦの少なくとも一部を含み得る。ＳＩＧフィールド２６２は、レートおよび長さ情報を転送するために使用され得る。ＳＴＦ２６４は、マルチ送信およびマルチ受信システムにおける自動利得制御（ＡＧＣ：automatic gain control）を改善するために使用され得る。たとえば、受信信号が弱いとき、受信デバイスにおけるＡＧＣアルゴリズムは、受信信号を許容できる信号対雑音比にさせるために、受信デバイスにおける利得段をブーストし得る。ＬＴＦシンボル２６６は、チャネル推定を実行するために受信機（たとえば、ＳＴＡ２０６）のために必要とされる情報を与えるために使用され得る。ＬＴＦシンボルの数は、異なるＳＴＡからの時空間ストリームの数に等しいかまたはそれよりも大きくなり得る。たとえば、４つのＳＴＡがある場合、４つのＬＴＦシンボル（すなわちＬＴＦ１、ＬＴＦ２、ＬＴＦ３、ＬＴＦ４）があり得る。データシンボル２６８は、たとえば、ＳＴＡ２０６とＡＰ２０２との間で通信されるべきユーザデータを含んでいることがある。
【００３１】
[0037]一態様では、ＬＴＦシンボル２６６（およびデータシンボル２６８）は、どのトーンがガードトーン、データトーン、パイロットトーン、およびＤＣトーンであるかを示すトーンプランを有し得る。たとえば、トーンプラン２７０は、１ｘシンボル持続時間をもつ２０メガヘルツ（ＭＨｚ）シンボルのためのトーンプランの一例であり、２０ＭＨｚはシンボルの周波数帯域幅を指す。トーンプラン２７０は、−３２〜３１または［−３２：３１］のトーンインデックス範囲内に位置する６４個のトーンを有する。しかしながら、図２に示されているように、すべてのトーンインデックスが図示されているとは限らない。図示されていないトーンインデックス［−３２：２９］および［２９：３１］はガードトーンであり、ガードトーンは、ゼロ振幅を有し得るトーンであり、異なるシンボルからのトーンが互いに妨害する（bleeding together）可能性を低減するために、隣接送信／シンボルからのアイソレーション（isolation）またはシステム分離を行うために使用される。この例においてトーンインデックス０に位置するＤＣトーンが、ゼロ振幅を有するか、または電力を有しないことがあり、ＡＧＣセットアップのために使用され得る。一態様では、ＤＣトーンは情報を搬送しないことがある。別の態様では、ＤＣトーンは、送信デバイスの無線周波数（ＲＦ）中心周波数の位置を特定するために使用され得る。この例は、トーンインデックス０において１つのＤＣトーンを示しているが、追加のＤＣトーンが使用され得る（たとえば、３つのＤＣトーンがトーンインデックス−１、０、および１に位置し得る）。この例では、残りのトーンインデックス［−２８：−１］および［１：２８］が、（たとえば、チャネル推定のための）データと（たとえば、位相ドリフト補正のための）パイロット信号とを送信するために使用され得る使用可能な（または有用な）トーンを含んでいる。トーンプラン２７０では、データ２７２が、たとえば、トーンインデックス−２８、−２７、−２６、−１０、−５、５、１０、２６、２７、および２８上で送信され得る。位相ドリフト補正のためのパイロット信号２７４が、たとえば、トーンインデックス−２１上で送信され得る。（図２中の垂直矢印によって示される）追加のパイロット信号が、トーンインデックス−７、７、および２１上で送信され得る。データまたはパイロット信号がその上で送信され得る、ガードトーンの後の、第１の有効なトーンが、トーンインデックス−２８上に位置するので、このトーンインデックスは、有効な開始トーンインデックスとして知られ得る。同様に、トーンインデックス２８は、ガードトーンのために予約される、トーンインデックス［２９：３１］に達する前に、データまたはパイロット信号がその上で送信され得る最後の有効なトーンであるので、トーンインデックス２８は、有効な終了トーンインデックスとして知られ得る。要するに、トーンプラン２７０は、［−２８：−１］および［１：２８］のトーンインデックス範囲内の使用可能なトーンを有する。ＤＣトーンはトーンインデックス０に位置し得、非ＤＣトーンは、ガードトーンと、（データを送信するためのデータトーンとパイロット信号を送信するためのパイロットトーンと���含み得る）使用可能なトーンとを含み得る。
【００３２】
[0038]再び図２を参照すると、ＬＴＦシンボル２６６（たとえば、ＬＴＦ１）は、トーンプラン２７０から明らかなように１ｘシンボル持続時間を有するが、いくつかのワイヤレスネットワークは、４ｘシンボル持続時間をもつシンボルを使用し得る。４ｘシンボル持続時間をもつシンボルは合計２５６個のトーンを有し得、それらのうちの２４２個のトーンは、使用可能なまたは有効なトーンであり得る（ガードトーンとＤＣトーンとを除く）。たとえば、４ｘシンボル持続時間をもつシンボルは、［−１２２：−２］および［２：１２２］のトーンインデックス範囲内の使用可能なトーンを有し得る。一構成では、３つのＤＣトーンがトーンインデックス［−１：１］上に位置し得、ガードトーンがトーンインデックス［−１２８：−１２３］および［１２３：１２７］上に位置し得る。しかしながら、ワイヤレスネットワークが、ＬＴＦシンボル（たとえば、ＬＴＦシンボル２６６）とデータシンボル（たとえば、データシンボル２６８））の両方について４ｘシンボル持続時間をもつシンボルを使用するとき、オーバーヘッドは、前に説明したように大きくなり得る。また、より長いシンボル長が位相ドリフトを増加させる。
【００３３】
[0039]４ｘシンボル持続時間をもつシンボルを使用するネットワークにおけるＬＴＦシンボルオーバーヘッドを低減するために、２つの手法が以下で別々に説明され得る。第１の手法では、ワイヤレスネットワークにおけるデバイスは、４ｘシンボル持続時間をもつＬＴＦシンボルを使用することを続け得るが、ＬＴＦシンボル内のトーンは、グループ数（Ｎｇ）に従ってグループ化され、ＳＴＡの間で共有され得る。たとえば、グループ数が２であり（Ｎｇ＝２）、２つのＳＴＡ２０６、２０８がある場合、各ＳＴＡは１つおきのトーン（every other tone）を使用し得る。この例では、ＳＴＡ２０６は偶数トーン上で送信し得、ＳＴＡ２０８は奇数トーン上で送信し得る。ＡＰ２０２が、受信されたＬＴＦシンボル２６６（たとえば、ＬＴＦ１）上でＳＴＡ２０６、２０８のためのチャネル推定を実行するとき、ＡＰ２０２は、ＳＴＡ２０６のために奇数トーンのための補間を実行し、ＳＴＡ２０８のために偶数トーンのための補間を実行し得る。同様に、グループ数が４であり（Ｎｇ＝４）、４つのＳＴＡ２０６、２０８、２１０、２１２がある場合、各ＳＴＡは、ＬＴＦシンボル２６６中で第４のトーンごと（on every fourth tone）に送信し得る。Ｎｇ＝２の場合と同様に、Ｎｇ＝４であるとき、補間は、サンプリングされていないトーンのチャネル推定値を再構成するために受信機（たとえば、ＡＰ２０２）によって使用され得る。別の態様では、トーングループ化（Ｎｇ）がＳＴＡ（またはユーザまたはストリーム）の数よりも大きく、たとえば、Ｎｇ＝４であり、ＳＴＡの数が３であるとき、使用されているトーン上のトーンごとの電力は、ＬＴＦシンボル上の総送信電力が、すべての使用可能なトーンがポピュレートされているＬＴＦシンボル上と同じままであるように、スケールアップされる。送信電力に関するスケーリング係数はストリームまたはＳＴＡの数の関数である。また別の態様では、Ｎｇ＝４であるが、１つのストリームのみがあるか、または１人のユーザのみがいる場合、これは、（ポピュレートされていないトーンがない）Ｎｇ＝１の場合の１ｘシンボル持続時間をもつＬＴＦシンボルを送信することと等価である。同様に、２人のユーザ（またはＳＴＡ）がいる場合、これは、２ｘシンボル持続時間をもつＬＴＦシンボルを送信することと等価であり、浪費されたトーンがないＮｇ＝２である。
【００３４】
[0040]第２の手法では、ＬＴＦシンボル内でのトーングループ化を使用する代わりに、ＬＴＦシンボル持続時間が短縮され得る。たとえば、ＬＴＦシンボル２６６のために４ｘシンボル持続時間を使用する代わりに、１ｘまたは２ｘシンボル持続時間が、４ｘシンボル持続時間をもつシンボルを表すために使用され得る。一態様では、４ｘシンボル持続時間をもつＬＴＦシンボル中の情報は、１ｘシンボル持続時間をもつＬＴＦシンボルに圧縮され得る。しかしながら、短縮されたＬＴＦシンボル持続時間を使用するとき、２つの問題が生じ得る。第１の問題は、エッジトーン上でのチャネル推定のための外挿課題に関する。たとえば、１ｘシンボル持続時間をもつ２０ＭＨｚ  ＬＴＦシンボルが、６４個の合計トーンのうちの５６個の使用可能なトーンを有する。４ｘシンボル持続時間をもつ２０ＭＨｚ  ＬＴＦシンボルが、２５６個の合計トーンのうちの２４２個の使用可能なトーンを有する。２４２個の使用可能なトーンは、事実上、４×６０．５個のトーンである。実際に、１ｘシンボル持続時間をもつシンボルのためのトーンプランを変更することなしに、シンボルは、４の圧縮係数またはグループ化数）を仮定すると、４ｘシンボル持続時間をもつシンボルを表すために６０．５個の使用可能なトーンを必要とすることになる。しかしながら、１ｘシンボル持続時間をもつ２０ＭＨｚシンボルが５６個の使用可能なトーンのみを有するので、エッジトーン中の平均４．５個のトーンが失われることになる。失われたトーンの数を仮定すれば、チャネル補間が使用されないことがある。チャネル外挿が使用され得るが、チャネル外挿は、より多くの誤差をもたらし、性能を劣化させることになる。
【００３５】
[0041]短縮されたシンボル持続時間をもつＬＴＦシンボルを使用するときの第２の問題が、４ｘシンボル持続時間をもつシンボル中のＤＣトーンの周りのチャネル推定に関する。たとえば、４ｘシンボル持続時間をもつ８０ＭＨｚシンボルが３〜７つのＤＣトーンを有し得る。４ｘシンボル持続時間をもつシンボル中のトーンインデックス−４および＋４上のチャネル推定値を、１ｘシンボル持続時間をもつシンボル上にマッピングするために、１つの方法は、トーンインデックス−４および＋４におけるそれらのトーンを、１ｘシンボル持続時間をもつシンボル（たとえば、ＬＴＦシンボル）上のトーンインデックス−１および＋１上にポピュレートすることである。しかしながら、これは、インデックス０において１つのＤＣトーンのみを残すことになる。いくつかの事例では、１ｘシンボル持続時間をもつ８０ＭＨｚシンボルが、約３つのＤＣトーンの対応する幅を有するノッチフィルタをもつ３つのＤＣトーンを必要とするトーンプランを有する。したがって、ノッチフィルタがサンプリングレートのみに依存すると仮定すると、同じノッチフィルタ（たとえば、３トーン幅をもつ同じノッチフィルタ）が使用される場合、１ｘシンボル持続時間における受信されたＬＴＦシンボルは、ノッチフィルタ処理によってカットオフされたインデックス−１および＋１に位置するトーンを有し、それにより、それらのトーンがチャネル推定のために使用されるのを防ぎ得る。以下の図は、ＬＴＦシンボルオーバーヘッドを低減し、上述の問題を克服する、変更されたトーンプランについて説明する。
【００３６】
[0042]図３Ａ〜図３Ｃは、ＬＴＦ圧縮のためのトーンプラン／インデックスの例示的な図３００、３３０、３６０である。エッジトーンチャネル推定問題を解決するために、図３Ａは、１ｘシンボル持続時間をもつＬＴＦシンボルのための変更されたトーンプラン（行２〜行３）、１ｘシンボル持続時間をもつＬＴＦシンボルのための対称的な変更されたトーンプラン（行４〜行５）、または２ｘシンボル持続時間をもつＬＴＦシンボルのための変更されたトーンプラン（行６〜行７）を導出するために使用される４ｘシンボル持続時間をもつ既存のＬＴＦシンボル（行１）を示している。ＤＣトーンの周りのチャネル推定に関する第２の問題を解決するために、図３Ａは２つのオプションを提供する。（たとえば、行２中の）ＤＣオプション１は、（たとえば、現在のＩＥＥＥ８０２．１１ａｃ製品において使用される）既存のノッチフィルタが、１ｘシンボル持続時間をもつ変更されたＬＴＦシンボルのために使用されると仮定する。その場合、各対応する周波数帯域幅における１ｘシンボル持続時間をもつ既存のＬＴＦシンボルのためのトーンプランの場合のように、行２中のＬＴＦシンボルのための変更されたトーンプラン中で、同数のＤＣトーンが予約され得る。対照的に、ＤＣオプション２（たとえば、行３）は、１つのＤＣトーンのみが、１ｘシンボル持続時間をもつ変更されたＬＴＦシンボルのトーンプラン中で必要とされるように、（８０２．１１ａｃ製品において使用されるノッチフィルタと比較して）よりシャープであり、より狭いノッチをもつ、新しいノッチフィルタが使用され得ると仮定する。これは、行４〜７について同様に当てはまる。
【００３７】
[0043]図３Ａを参照すると、ワイヤレスネットワーク（たとえば、図１、図２中のワイヤレスネットワーク）が４ｘシンボル持続時間をもつシンボルを使用すると仮定すると、図の行１は、２０ＭＨｚシンボル、４０ＭＨｚシンボル、および８０ＭＨｚシンボルのための使用可能なトーンインデックスを示している。たとえば、４ｘシンボル持続時間をもつ２０ＭＨｚシンボルが、［−１２２：−２］および［２：１２２］のトーンインデックス範囲にわたる使用可能なトーンを有する。この例では、有効な開始トーンインデックスは−１２２であり、有効な終了トーンインデックスは１２２である。ガードトーンはトーンインデックス［−１２８：−１２３］および［１２３：１２７］に位置する。ＤＣトーンはトーンインデックス［−１：１］に位置する。別の例では、４ｘシンボル持続時間をもつ４０ＭＨｚシンボルが、［−２５０：−１３０］、［−１２６：−６］、［６：１２６］、および［１３０：２５０］のトーンインデックス範囲にわたる使用可能なトーンを有する。この例では、有効な開始トーンインデックスは−２５０であり、有効な終了トーンインデックスは２５０である。別の例では、４ｘシンボル持続時間をもつ８０ＭＨｚシンボルが、［−５０６：−４］および［４：５０６］のトーンインデックス範囲にわたる使用可能なトーンを有する。この例では、有効な開始トーンインデックスは−５０６であり、有効な終了トーンインデックスは５０６である。行１中の４ｘシンボル持続時間をもつシンボルを、１ｘシンボル持続時間をもつシンボルに圧縮するために、１ｘシンボル持続時間と変更されたトーンプランとをもつ、２０ＭＨｚシンボルのための有効な開始トーンインデックスおよび有効な終了トーンインデックスは、４で除算された行１中のシンボルのための有効な開始および終了トーンインデックスの床（および／または天井）の関数であり得る。一例では、行１に示されているように、４ｘシンボル持続時間をもつ２０ＭＨｚ  ＬＴＦシンボルの場合、使用可能なトーンは［−１２２：−２］と［２：１２２］とである。ＬＴＦ圧縮の場合、１ｘシンボル持続時間をもつ２０ＭＨｚ  ＬＴＦシンボル中の有効な開始トーンインデックスは、ｆｌｏｏｒ（−１２２／４）の結果であり得、それは−３１に等しい。同様に、１ｘシンボル持続時間をもつ２０ＭＨｚ  ＬＴＦシンボル中の有効な終了トーンインデックスは、ｆｌｏｏｒ（１２２／４）の結果であり得、それは、３０に等しい。したがって、行２および行３中の１ｘシンボル持続時間をもつ２０ＭＨｚ  ＬＴＦシンボルは両方とも、それぞれ、−３１および３０の有効な開始トーンインデックスおよび有効な終了トーンインデックスをもつトーンプランを有する。トーンプランのための残りの決定はＤＣトーンの数である。ＤＣオプション１、行２では、仮定は、（たとえば、８０２．１１ａｃ製品において使用される）既存のノッチフィルタが使用され、したがって、ＤＣトーンの数が、トーンカットオフを防ぐために、様々な周波数帯域幅における１ｘシンボル持続時間を有するシンボルのためのトーンプランに対応するというものである。ＤＣオプション１では、１ｘシンボル持続時間をもつ２０ＭＨｚシンボルのための（たとえ���、ＩＥＥＥ８０２．１１ａｃにおける）既存のトーンプランは、１つのＤＣトーンを必要とする。したがって、ＤＣトーンのためにトーンインデックス０が予約され得る。ＤＣオプション２、行３では、より狭いノッチフィルタ、したがって、１つのＤＣトーンのみが必要とされると仮定する。したがって、１つのＤＣトーンのためにトーンインデックス０が予約され得る。要するに、１ｘシンボル持続時間をもつ２０ＭＨｚ  ＬＴＦシンボルのための変更されたトーンプランのための使用可能なトーンインデックスは、ＤＣオプション１（行２）とＤＣオプション２（行３）の両方のための［−３１：−１］および［１：３０］の使用可能なトーンインデックスを有し得る。
【００３８】
[0044]別の例では、行１に示されているように、４ｘシンボル持続時間をもつ４０ＭＨｚ  ＬＴＦシンボルの場合、使用可能なトーンは、［−２５０：−１３０］と、［−１２６：−６］と、［６：１２６］と、［１３０：２５０］とである。ＬＴＦ圧縮の場合、１ｘシンボル持続時間と変更されたトーンプランとをもつ、４０ＭＨｚ  ＬＴＦシンボル中の有効な開始トーンインデックスは、ｆｌｏｏｒ（−２５０／４）の結果であり得、それは−６３に等しい。同様に、１ｘシンボル持続時間をもつ４０ＭＨｚ  ＬＴＦシンボル中の有効な終了トーンインデックスは、ｆｌｏｏｒ（２５０／４）の結果であり得、それは６２に等しい。図３Ａを参照すると、行２および行３中の１ｘシンボル持続時間をもつ４０ＭＨｚ  ＬＴＦシンボルは両方とも、それぞれ、−６３および６２の有効な開始トーンインデックスおよび有効な終了トーンインデックスを有する。残りの決定はＤＣトーンの数である。ＤＣオプション１、行２では、仮定は、既存のノッチフィルタが使用され、したがって、ＤＣトーンの数が、様々な周波数帯域幅における１ｘシンボル持続時間をもつシンボルのための既存のトーンプランに対応するというものである。ＤＣオプション１、行２では、１ｘシンボル持続時間をもつ４０ＭＨｚシンボルのための既存のトーンプランは、３つのＤＣトーンを必要とする。したがって、ＤＣトーンのために、トーンインデックス−１、０、および１が予約され得る。ＤＣオプション２、行３では、より狭いノッチフィルタが使用され得、したがって、１つのＤＣトーンのみが必要とされると仮定する。したがって、ＤＣトーンのためにトーンインデックス０が予約され得る。要するに、１ｘシンボル持続時間をもつ４０ＭＨｚ  ＬＴＦシンボルのための変更されたトーンプランのための使用可能なトーンインデックスは、ＤＣオプション１（行２）のための［−６３：−２］および［２：６２］の使用可能なトーンインデックスと、ＤＣオプション２（行３）のための［−６３：−１］および［１：６２］の使用可能なトーンインデックスとを有し得る。
【００３９】
[0045]また別の例では、行１に示されているように、４ｘシンボル持続時間をもつ８０ＭＨｚ  ＬＴＦシンボルの場合、使用可能なトーンは［−５０６：−４］と［４：５０６］とである。ＬＴＦ圧縮の場合、１ｘシンボル持続時間と変更されたトーンプランとをもつ、８０ＭＨｚ  ＬＴＦシンボル中の有効な開始トーンインデックスは、ｆｌｏｏｒ（−５０６／４）の結果であり得、それは−１２７に等しい。同様に、１ｘシンボル持続時間をもつ８０ＭＨｚ  ＬＴＦシンボル中の有効な終了トーンインデックスは、ｆｌｏｏｒ（５０６／４）の結果であり得、それは１２６に等しい。図３Ａを参照すると、行２および行３中の１ｘシンボル持続時間をもつ８０ＭＨｚ  ＬＴＦシンボルのための変更されたトーンプランは両方とも、それぞれ、−１２７および１２６の有効な開始トーンインデックスおよび有効な終了トーンインデックスを有する。残りの決定はＤＣトーンの数である。ＤＣオプション１、行２では、仮定は、既存のノッチフィルタが使用され、したがって、ＤＣトーンの数が、様々な周波数帯域幅における１ｘシンボル持続時間を有するシンボルのためのトーンプランに対応するというものである。ＤＣオプション１では、１ｘシンボル持続時間をもつ８０ＭＨｚシンボルは、（たとえば、ＩＥＥＥ８０２．１１ａｃにおいて）３つのＤＣトーンを必要とする。したがって、ＤＣトーンのために、トーンインデックス−１、０、および１が予約され得る。ＤＣオプション２、行３では、より狭いノッチフィルタが使用され得、したがって、１つのＤＣトーンのみが必要とされると仮定する。したがって、ＤＣトーンのためにトーンインデックス０が予約され得る。要するに、１ｘシンボル持続時間をもつ８０ＭＨｚ  ＬＴＦシンボルのための変更されたトーンプランのための使用可能なトーンインデックスは、ＤＣオプション１（行２）のための［−１２７：−２］および［２：１２６］の使用可能なトーンインデックスと、ＤＣオプション２（行３）のための［−１２７：−１］および［１：１２６］の使用可能なトーンインデックスとを有し得る。
【００４０】
[0046]図３Ａの行２および行３において説明した例では、有効な開始トーンインデックスと有効な終了トーンインデックスとは非対称であった。すなわち、たとえば、ＤＣオプション１中の１ｘシンボル持続時間をもつ２０ＭＨｚ  ＬＴＦシンボルの場合、有効な開始トーンインデックスは−３１であり、有効な終了トーンインデックスは３０である。別の態様では、１ｘシンボル持続時間をもつシンボルのための変更されたトーンプランの有効な開始トーンインデックスと有効な終了トーンインデックスとは対称であり得る。たとえば、再び行１を参照すると、４ｘシンボル持続時間をもつ２０ＭＨｚ  ＬＴＦシンボルの場合、使用可能なトーンは［−１２２：−２］と［２：１２２］とである。ＬＴＦ圧縮の場合、１ｘシンボル持続時間をもつ２０ＭＨｚ  ＬＴＦシンボル中の有効な開始トーンインデックスは、ｃｅｉｌｉｎｇ（−１２２／４）の結果であり得、それは−３０に等しい。１ｘシンボル持続時間をもつ２０ＭＨｚ  ＬＴＦシンボル中の有効な終了トーンインデックスは、ｆｌｏｏｒ（１２２／４）の結果であり得、それは３０に等しい。したがって、行４および行５中の１ｘシンボル持続時間をもつ２０ＭＨｚ  ＬＴＦシンボルは両方とも、それぞれ、−３０および３０の有効な開始トーンインデックスおよび有効な終了トーンインデックスをもつトーンプランを有する。トーンプランのための残りの決定はＤＣトーンの数である。ＤＣオプション１、行４では、仮定は、（たとえば、８０２．１１ａｃ製品において使用される）既存のノッチフィルタが使用され、したがって、ＤＣトーンの数が、トーンカットオフを防ぐために、様々な周波数帯域幅における１ｘシンボル持続時間を有するシンボルのためのトーンプランに対応するというものである。ＤＣオプション１では、１ｘシンボル持続時間をもつ２０ＭＨｚシンボルのための（たとえば、ＩＥＥＥ８０２．１１ａｃにおける）既存のトーンプランは、１つのＤＣトーンを必要とする。したがって、ＤＣトーンのためにトーンインデックス０が予約され得る。ＤＣオプション２、行５では、より狭いノッチフィルタ、したがって、１つのＤＣトーンのみが必要とされると仮定する。したがって、１つのＤＣトーンのためにトーンインデックス０が予約され得る。要するに、１ｘシンボル持続時間をもつ２０ＭＨｚ  ＬＴＦシンボルのための変更されたトーンプランのための使用可能なトーンインデックスは、ＤＣオプション１（行４）とＤＣオプション２（行５）の両方のための［−３０：−１］および［１：３０］の使用可能なトーンインデックスを有し得る。
【００４１】
[0047]別の例では、行１に示されているように、４ｘシンボル持続時間をもつ４０ＭＨｚ  ＬＴＦシンボルの場合、使用可能なトーンは、［−２５０：−１３０］と、［−１２６：−６］と、［６：１２６］と、［１３０：２５０］とである。ＬＴＦ圧縮の場合、１ｘシンボル持続時間と変更されたトーンプランとをもつ、４０ＭＨｚ  ＬＴＦシンボル中の有効な開始トーンインデックスは、ｃｅｉｌｉｎｇ（−２５０／４）の結果であり得、それは−６２に等しい。１ｘシンボル持続時間をもつ４０ＭＨｚ  ＬＴＦシンボル中の有効な終了トーンインデックスは、ｆｌｏｏｒ（２５０／４）の結果であり得、それは６２に等しい。図３Ａを参照すると、行４および行５中の１ｘシンボル持続時間をもつ４０ＭＨｚ  ＬＴＦシンボルは両方とも、それぞれ、−６２および６２の有効な開始トーンインデックスおよび有効な終了トーンインデックスを有する。残りの決定はＤＣトーンの数である。ＤＣオプション１、行４では、仮定は、既存のノッチフィルタが使用され、したがって、ＤＣトーンの数が、様々な周波数帯域幅における１ｘシンボル持続時間をもつシンボルのための既存のトーンプランに対応するというものである。ＤＣオプション１、行４では、１ｘシンボル持続時間をもつ４０ＭＨｚシンボルのための既存のトーンプランは、３つのＤＣトーンを必要とする。したがって、ＤＣトーンのために、トーンインデックス−１、０、および１が予約され得る。ＤＣオプション２、行５では、より狭いノッチフィルタが使用され得、したがって、１つのＤＣトーンのみが必要とされると仮定する。したがって、ＤＣトーンのためにトーンインデックス０が予約され得る。要するに、１ｘシンボル持続時間をもつ４０ＭＨｚ  ＬＴＦシンボルのための変更されたトーンプランのための使用可能なトーンインデックスは、ＤＣオプション１（行４）のための［−６２：−２］および［２：６２］の使用可能なトーンインデックスと、ＤＣオプション２（行５）のための［−６２：−１］および［１：６２］の使用可能なトーンインデックスとを有し得る。
【００４２】
[0048]また別の例では、行１に示されているように、４ｘシンボル持続時間をもつ８０ＭＨｚ  ＬＴＦシンボルの場合、使用可能なトーンは［−５０６：−４］と［４：５０６］とである。ＬＴＦ圧縮の場合、１ｘシンボル持続時間と変更されたトーンプランとをもつ、８０ＭＨｚ  ＬＴＦシンボル中の有効な開始トーンインデックスは、ｃｅｉｌｉｎｇ（−５０６／４）の結果であり得、それは−１２６に等しい。１ｘシンボル持続時間をもつ８０ＭＨｚ  ＬＴＦシンボル中の有効な終了トーンインデックスは、ｆｌｏｏｒ（５０６／４）の結果であり得、それは１２６に等しい。図３Ａを参照すると、行４および行５中の１ｘシンボル持続時間をもつ８０ＭＨｚ  ＬＴＦシンボルのための変更されたトーンプランは両方とも、それぞれ、−１２６および１２６の有効な開始トーンインデックスおよび有効な終了トーンインデックスを有する。残りの決定はＤＣトーンの数である。ＤＣオプション１、行４では、仮定は、既存のノッチフィルタが使用され、したがって、ＤＣトーンの数が、様々な周波数帯域幅における１ｘシンボル持続時間を有するシンボルのためのトーンプランに対応するというものである。ＤＣオプション１では、１ｘシンボル持続時間をもつ８０ＭＨｚシンボルは、（たとえば、ＩＥＥＥ８０２．１１ａｃにおいて）３つのＤＣトーンを必要とする。したがって、ＤＣトーンのために、トーンインデックス−１、０、および１が予約され得る。ＤＣオプション２、行５では、より狭いノッチフィルタが使用され得、したがって、１つのＤＣトーンのみが必要とされると仮定する。したがって、ＤＣトーンのためにトーンインデックス０が予約され得る。要するに、１ｘシンボル持続時間をもつ８０ＭＨｚ  ＬＴＦシンボルのための変更されたトーンプランのための使用可能なトーンインデックスは、ＤＣオプション１（行４）のための［−１２６：−２］および［２：１２６］の使用可能なトーンインデックスと、ＤＣオプション２（行５）のための［−１２６：−１］および［１：１２６］の使用可能なトーンインデックスとを有し得る。
【００４３】
[0049]図３Ａの行２〜行５に関する上述の例は、４ｘシンボル持続時間をもつＬＴＦシンボルの既存のトーンプランからの、１ｘシンボル持続時間をもつＬＴＦシンボル中の変更されたトーンプランのために、使用可能なトーンのための有効な開始および終了トーンインデックスが、ＤＣトーンインデックスとともに、どのように計算され得るかを示している。図３Ａの行６および行７は、２ｘシンボル持続時間をもつＬＴＦシンボル中の変更されたトーンプランのための、使用可能なトーンのための有効な開始および終了トーンインデックスを、ＤＣトーンインデックスとともに、示している。行６および行７を参照すると、４ｘシンボル持続時間をもつ２０ＭＨｚ  ＬＴＦシンボルの場合、使用可能なトーンは［−１２２：−２］と［２：１２２］とである。ＬＴＦ圧縮の場合、２ｘシンボル持続時間をもつ２０ＭＨｚ  ＬＴＦシンボル中の有効な開始トーンインデックスは、ｆｌｏｏｒ（−１２２／２）の結果であり得、それは−６１に等しい。１ｘシンボル持続時間をもつ２０ＭＨｚ  ＬＴＦシンボル中の有効な終了トーンインデックスは、ｆｌｏｏｒ（１２２／２）の結果であり得、それは６１に等しい。したがって、行６および行７中の２ｘシンボル持続時間をもつ２０ＭＨｚ  ＬＴＦシンボルは両方とも、それぞれ、−６１および６１の有効な開始トーンインデックスおよび有効な終了トーンインデックスをもつトーンプランを有する。トーンプランのための残りの決定はＤＣトーンの数である。ＤＣオプション１、行６では、仮定は、（たとえば、８０２．１１ａｃ製品において使用される）既存のノッチフィルタが使用され、したがって、ＤＣトーンの数が、トーンカットオフを防ぐために、様々な周波数帯域幅における２ｘシンボル持続時間を有するシンボルのためのトーンプランに対応するというものである。ＤＣオプション１では、２ｘシンボル持続時間をもつ２０ＭＨｚシンボルのための（たとえば、ＩＥＥＥ８０２．１１ａｃにおける）既存のトーンプランは、１つのＤＣトーンを必要とする。したがって、ＤＣトーンのためにトーンインデックス０が予約され得る。ＤＣオプション２、行７では、より狭いノッチフィルタ、したがって、１つのＤＣトーンのみが必要とされると仮定する。したがって、１つのＤＣトーンのためにトーンインデックス０が予約され得る。要するに、２ｘシンボル持続時間をもつ２０ＭＨｚ  ＬＴＦシンボルのための変更されたトーンプランのための使用可能なトーンインデックスは、ＤＣオプション１（行６）とＤＣオプション２（行７）の両方のための［−６１：−１］および［１：６１］の使用可能なトーンインデックスを有し得る。
【００４４】
[0050]別の例では、行１に示されているように、４ｘシンボル持続時間をもつ４０ＭＨｚ  ＬＴＦシンボルの場合、使用可能なトーンは、［−２５０：−１３０］と、［−１２６：−６］と、［６：１２６］と、［１３０：２５０］とである。ＬＴＦ圧縮の場合、２ｘシンボル持続時間と変更されたトーンプランとをもつ、４０ＭＨｚ  ＬＴＦシンボル中の有効な開始トーンインデックスは、ｆｌｏｏｒ（−２５０／２）の結果であり得、それは−１２５に等しい。２ｘシンボル持続時間をもつ４０ＭＨｚ  ＬＴＦシンボル中の有効な終了トーンインデックスは、ｆｌｏｏｒ（２５０／２）の結果であり得、それは１２５に等しい。図３Ａを参照すると、行６および行７中の２ｘシンボル持続時間をもつ４０ＭＨｚ  ＬＴＦシンボルは両方とも、それぞれ、−１２５および１２５の有効な開始トーンインデックスおよび有効な終了トーンインデックスを有する。残りの決定はＤＣトーンの数である。ＤＣオプション１、行６では、仮定は、既存のノッチフィルタが使用され、したがって、ＤＣトーンの数が、様々な周波数帯域幅における２ｘシンボル持続時間をもつシンボルのための既存のトーンプランに対応するというものである。ＤＣオプション１、行６では、２ｘシンボル持続時間をもつ４０ＭＨｚシンボルのための既存のトーンプランは、３つのＤＣトーンを必要とする。したがって、ＤＣトーンのために、トーンインデックス−１、０、および１が予約され得る。ＤＣオプション２、行７では、より狭いノッチフィルタが使用され得、したがって、１つのＤＣトーンのみが必要とされると仮定する。したがって、ＤＣトーンのためにトーンインデックス０が予約され得る。要するに、２ｘシンボル持続時間をもつ４０ＭＨｚ  ＬＴＦシンボルのための変更されたトーンプランのための使用可能なトーンインデックスは、ＤＣオプション１（行６）のための［−１２５：−２］および［２：１２５］の使用可能なトーンインデックスと、ＤＣオプション２（行７）のための［−１２５：−１］および［１：１２５］の使用可能なトーンインデックスとを有し得る。
【００４５】
[0051]また別の例では、行１に示されているように、４ｘシンボル持続時間をもつ８０ＭＨｚ  ＬＴＦシンボルの場合、使用可能なトーンは［−５０６：−４］と［４：５０６］とである。ＬＴＦ圧縮の場合、２ｘシンボル持続時間と変更されたトーンプランとをもつ、８０ＭＨｚ  ＬＴＦシンボル中の有効な開始トーンインデックスは、ｆｌｏｏｒ（−５０６／２）の結果であり得、それは−２５３に等しい。２ｘシンボル持続時間をもつ８０ＭＨｚ  ＬＴＦシンボル中の有効な終了トーンインデックスは、ｆｌｏｏｒ（５０６／２）の結果であり得、それは２５３に等しい。図３Ａを参照すると、行６および行７中の１ｘシンボル持続時間をもつ８０ＭＨｚ  ＬＴＦシンボルのための変更されたトーンプランは両方とも、それぞれ、−２５３および２５３の有効な開始トーンインデックスおよび有効な終了トーンインデックスを有する。残りの決定はＤＣトーンの数である。ＤＣオプション１、行６では、仮定は、既存のノッチフィルタが使用され、したがって、ＤＣトーンの数が、様々な周波数帯域幅における２ｘシンボル持続時間を有するシンボルのためのトーンプランに対応するというものである。ＤＣオプション１では、２ｘシンボル持続時間をもつ８０ＭＨｚシンボルは、（たとえば、ＩＥＥＥ８０２．１１ａｃにおいて）３つのＤＣトーンを必要とする。したがって、ＤＣトーンのために、トーンインデックス−１、０、および１が予約され得る。ＤＣオプション２、行６では、より狭いノッチフィルタが使用され得、したがって、１つのＤＣトーンのみが必要とされると仮定する。したがって、ＤＣトーンのためにトーンインデックス０が予約され得る。要するに、２ｘシンボル持続時間をもつ８０ＭＨｚ  ＬＴＦシンボルのための変更されたトーンプランのための使用可能なトーンインデックスは、ＤＣオプション１（行６）のための［−２５３：−２］および［２：２５３］の使用可能なトーンインデックスと、ＤＣオプション２（行７）のための［−２５３：−１］および［１：２５３］の使用可能なトーンインデックスとを有し得る。
【００４６】
[0052]両方のタイプのＬＴＦシンボル（たとえば、１ｘシンボル持続時間および２ｘシンボル持続時間）では、ＬＴＦ圧縮オプションは、４ｘシンボル持続時間をもつＬＴＦシンボルと比較して、低減されたＬＴＦシンボルオーバーヘッドを可能にする。一態様では、図３Ａの行２〜行７中の変更されたトーンプランは、事前構成され（たとえば、ＳＴＡまたはＡＰ中でハードコーディングされ）得る。
【００４７】
[0053]要するに、ＡＰまたはＳＴＡは、データのための４ｘシンボル持続時間をもつシンボルを使用しながら、変更されたトーンプランをもつＬＴＦシンボルを含んでいるフレームを送信し得る。たとえば、ＡＰ（たとえば、ＡＰ２０２）は、２０ＭＨｚデータシンボル（たとえば、データシンボル２６８）中でＳＴＡ（たとえば、ＳＴＡ２０６）にユーザデータを送信し得、２０ＭＨｚデータシンボルは、４ｘシンボル持続時間と、［−１２２：２］および［２：１２２］の使用可能なトーンインデックス範囲とを有する。さらに、チャネル推定の目的で、ＡＰは、２０ＭＨｚ  ＬＴＦシンボル（たとえば、ＬＴＦシンボル２６６）中でＳＴＡにＬＴＦ（またはＬＴＦの少なくとも一部）を送信し得、２０ＭＨｚ  ＬＴＦシンボルは、１ｘシンボル持続時間と、［−３０：−１］および［１：３０］の使用可能なトーンインデックス範囲とを有する。
【００４８】
[0054]別の実施形態では、図３Ｂは、２ｘシンボル持続時間をもつＬＴＦシンボルのための変更されたトーンプラン（行２）を導出するために使用される４ｘシンボル持続時間をもつ既存のＬＴＦシンボル（行１）を示している。ＤＣトーンの周りのチャネル推定に関する第２の問題を解決するために、図３Ｂは２つのオプションを提供する。（たとえば、行２中の）ＤＣオプション１は、ＩＥＥＥ８０２．１１ａｃにおいて１ｘ  ＬＴＦシンボルのために使用される、同じ対応するノッチフィルタが、２ｘ  ＬＴＦシンボルのために使用されると仮定する。したがって、８０２．１１ａｃが１ｘシンボル持続時間のために１つのＤＣトーンを有する場合、２ｘシンボル持続時間のために３つのＤＣトーンが予約され（図示され）得、８０２．１１ａｃが１ｘシンボル持続時間のために３つのＤＣトーンを有する場合、２ｘシンボルのために５つのＤＣトーンが予約され得る。対照的に、ＤＣオプション２（たとえば、行３）は、３つのＤＣトーンのみが、２ｘシンボル持続時間をもつ変更されたＬＴＦシンボルのトーンプラン中で必要とされるように、（８０２．１１ａｃにおいて使用されるノッチフィルタと比較して）よりシャープであり、より狭いノッチをもつ、新しいノッチフィルタが使用され得ると仮定する。図３Ａ中のＤＣオプション２とは異なり、図３Ｂ中のＤＣオプション２は、わずかに広いノッチフィルタを仮定する。
【００４９】
[0055]図３Ｂを参照すると、ワイヤレスネットワーク（たとえば、図１、図２中のワイヤレスネットワーク）が２ｘシンボル持続時間をもつシンボルを使用すると仮定すると、図の行１は、２０ＭＨｚシンボル、４０ＭＨｚシンボル、および８０ＭＨｚシンボルのための使用可能なトーンインデックスを示している。たとえば、４ｘシンボル持続時間をもつ２０ＭＨｚシンボルが、［−１２２：−２］および［２：１２２］のトーンインデックス範囲にわたる使用可能なトーンを有する。この例では、有効な開始トーンインデックスは−１２２であり、有効な終了トーンインデックスは１２２である。ガードトーンはトーンインデックス［−１２８：−１２３］および［１２３：１２７］に位置する。ＤＣトーンはトーンインデックス［−１：１］に位置する。別の例では、４ｘシンボル持続時間をもつ４０ＭＨｚシンボルが、［−２５０：−１３０］、［−１２６：−６］、［６：１２６］、および［１３０：２５０］のトーンインデックス範囲にわたる使用可能なトーンを有する。この例では、有効な開始トーンインデックスは−２５０であり、有効な終了トーンインデックスは２５０である。別の例では、４ｘシンボル持続時間をもつ８０ＭＨｚシンボルが、［−５０６：−４］および［４：５０６］のトーンインデックス範囲にわたる使用可能なトーンを有する。この例では、有効な開始トーンインデックスは−５０６であり、有効な終了トーンインデックスは５０６である。行１中の４ｘシンボル持続時間をもつシンボルを、２ｘシンボル持続時間をもつシンボルに圧縮するために、２ｘシンボル持続時間と変更されたトーンプランとをもつ、２０ＭＨｚシンボルのための有効な開始トーンインデックスおよび有効な終了トーンインデックスは、２で除算された行１中のシンボルのための有効な開始および終了トーンインデックスの関数であり得る。一例では、行１に示されているように、４ｘシンボル持続時間をもつ２０ＭＨｚ  ＬＴＦシンボルの場合、使用可能なトーンは［−１２２：−２］と［２：１２２］とである。ＬＴＦ圧縮の場合、２ｘシンボル持続時間をもつ２０ＭＨｚ  ＬＴＦシンボル中の有効な開始トーンインデックスは−６１に等しくなり得る。同様に、２ｘシンボル持続時間をもつ２０ＭＨｚ  ＬＴＦシンボル中の有効な終了トーンインデックスは６１に等しくなり得る。したがって、行２および行３中の２ｘシンボル持続時間をもつ２０ＭＨｚ  ＬＴＦシンボルは両方とも、それぞれ、−６１および６１の有効な開始トーンインデックスおよび有効な終了トーンインデックスをもつトーンプランを有する。トーンプランのための残りの決定はＤＣトーンの数である。ＤＣオプション１、行２では、仮定は、（たとえば、８０２．１１ａｃ製品において使用される）既存のノッチフィルタが使用され、したがって、ＤＣトーンの数が、トーンカットオフを防ぐために、様々な周波数帯域幅における１ｘシンボル持続時間を有するシンボルのためのトーンプランに基づき得るというものである。ＤＣオプション１では、１ｘシンボル持続時間をもつ２０ＭＨｚシンボルのための（たとえば、ＩＥＥＥ８０２．１１ａｃにおける）既存のトーンプランは、１つのＤＣトーンを必要とする。したがって、２ｘシ���ボル持続時間のために、３つのＤＣトーンインデックス−１、０、および１が予約され得る。ＤＣオプション２では、より狭いノッチフィルタ、したがって、１ｘシンボル持続時間におけるＤＣトーンの数にかかわらず、３つのＤＣトーンのみが必要とされ得ると仮定する。したがって、２ｘシンボル持続時間のために、トーンインデックス−１、０、および１が予約され得る。要するに、２ｘシンボル持続時間をもつ２０ＭＨｚ  ＬＴＦシンボルのための変更されたトーンプランのための使用可能なトーンインデックスは、ＤＣオプション１とＤＣオプション２とのための［−６１：−２］および［２：６１］の使用可能なトーンインデックスを有し得る。
【００５０】
[0056]別の例では、行１に示されているように、４ｘシンボル持続時間をもつ４０ＭＨｚ  ＬＴＦシンボルの場合、使用可能なトーンは、［−２５０：−１３０］と、［−１２６：−６］と、［６：１２６］と、［１３０：２５０］とである。ＬＴＦ圧縮の場合、２ｘシンボル持続時間と変更されたトーンプランとをもつ、４０ＭＨｚ  ＬＴＦシンボル中の有効な開始トーンインデックスは−１２５に等しくなり得る。同様に、２ｘシンボル持続時間をもつ４０ＭＨｚ  ＬＴＦシンボル中の有効な終了トーンインデックスは１２５に等しくなり得る。図３Ｂを参照すると、行２および行３中の２ｘシンボル持続時間をもつ４０ＭＨｚ  ＬＴＦシンボルは両方とも、それぞれ、−１２５および１２５の有効な開始トーンインデックスおよび有効な終了トーンインデックスを有する。残りの決定はＤＣトーンの数である。ＤＣオプション１中の、２０ＭＨｚシンボルに関して説明したのと同じノッチフィルタ仮定が適用されると仮定すると、１ｘシンボル持続時間をもつ４０ＭＨｚシンボルのための既存のトーンプランは、３つのＤＣトーンを必要とする。したがって、ＤＣトーンのために、トーンインデックス−２、−１、０、１、および２が予約され得る。ＤＣオプション２では、より狭いノッチフィルタが使用され得、したがって、３つのＤＣトーンのみが使用され得ると仮定する。したがって、ＤＣトーンのために、トーンインデックス−１、０、および１が予約され得る。要するに、２ｘシンボル持続時間をもつ４０ＭＨｚ  ＬＴＦシンボルのための変更されたトーンプランのための使用可能なトーンインデックスは、ＤＣオプション１のための［−１２５：−３］および［３：１２５］の使用可能なトーンインデックスと、ＤＣオプション２のための［−１２５：−２］および［２：１２５］の使用可能なトーンインデックスとを有し得る。
【００５１】
[0057]また別の例では、行１に示されているように、４ｘシンボル持続時間をもつ８０ＭＨｚ  ＬＴＦシンボルの場合、使用可能なトーンは［−５０６：−４］と［４：５０６］とである。ＬＴＦ圧縮の場合、２ｘシンボル持続時間と変更されたトーンプランとをもつ、８０ＭＨｚ  ＬＴＦシンボル中の有効な開始トーンインデックスは−２５３に等しくなり得る。同様に、２ｘシンボル持続時間をもつ８０ＭＨｚ  ＬＴＦシンボル中の有効な終了トーンインデックスは２５３に等しくなり得る。図３Ｂを参照すると、行２および行３中の２ｘシンボル持続時間をもつ８０ＭＨｚ  ＬＴＦシンボルのための変更されたトーンプランは両方とも、それぞれ、−２５３および２５３の有効な開始トーンインデックスおよび有効な終了トーンインデックスを有する。残りの決定はＤＣトーンの数である。ＤＣオプション１中の、２０ＭＨｚシンボルに関して説明したのと同じノッチフィルタ仮定が適用されると仮定すると、２ｘシンボル持続時間をもつ８０ＭＨｚシンボルのための既存のトーンプランは、３つのＤＣトーンを有し得る。したがって、ＤＣトーンのために、トーンインデックス−２、−１、０、１、および２が予約され得る。ＤＣオプション２では、より狭いノッチフィルタが使用され得、したがって、３つのＤＣトーンのみが使用され得ると仮定する。したがって、ＤＣトーンのために、トーンインデックス−１、０、および１が予約され得る。要するに、２ｘシンボル持続時間をもつ８０ＭＨｚ  ＬＴＦシンボルのための変更されたトーンプランのための使用可能なトーンインデックスは、ＤＣオプション１のための［−２５３：−３］および［３：２５３］の使用可能なトーンインデックスと、ＤＣオプション２のための［−２５３：−２］および［２：２５３］の使用可能なトーンインデックスとを有し得る。
【００５２】
[0058]図３Ｂの行２および行３に関する上述の例は、４ｘシンボル持続時間をもつＬＴＦシンボルの既存のトーンプランからの、２ｘシンボル持続時間をもつＬＴＦシンボル中の変更されたトーンプランのために、使用可能なトーンのための有効な開始および終了トーンインデックスが、ＤＣトーンインデックスとともに、どのように計算され得るかを示している。変更されたＬＴＦシンボルが、４ｘシンボル持続時間をもつＬＴＦシンボルと比較して、低減されたＬＴＦシンボルオーバーヘッドを可能にする。一態様では、図３Ｂの行２および行３中の変更されたトーンプランは、事前構成され（たとえば、ＳＴＡまたはＡＰ中でハードコーディングされ）得る。
【００５３】
[0059]要するに、ＡＰまたはＳＴＡは、データのための４ｘシンボル持続時間をもつシンボルを使用しながら、変更されたトーンプランをもつＬＴＦシンボルを含んでいるフレームを送信し得る。たとえば、ＡＰ（たとえば、ＡＰ２０２）は、２０ＭＨｚデータシンボル（たとえば、データシンボル２６８）中でＳＴＡ（たとえば、ＳＴＡ２０６）にユーザデータを送信し得、２０ＭＨｚデータシンボルは、４ｘシンボル持続時間と、［−１２２：２］および［２：１２２］の使用可能なトーンインデックス範囲とを有する。さらに、チャネル推定の目的で、ＡＰは、２０ＭＨｚ  ＬＴＦシンボル（たとえば、ＬＴＦシンボル２６６）中でＳＴＡにＬＴＦ（またはＬＴＦの少なくとも一部）を送信し得、２０ＭＨｚ  ＬＴＦシンボルは、２ｘシンボル持続時間と、［−６１：２］および［２：６１］の使用可能なトーンインデックス範囲とを有する。
【００５４】
[0060]別の実施形態では、図３Ｃは、１ｘシンボル持続時間をもつＬＴＦシンボルのための変更されたトーンプラン（行２、行３）を導出するために使用される４ｘシンボル持続時間をもつ既存のＬＴＦシンボル（行１）を示している。一態様では、行２、行３中のトーンプランは、行１中の使用可能なトーンの４ｘダウンスケーリングを実行することによって、行１中のトーンプランから導出され得る。すなわち、行１中のトーンプランの第４のトーンごとのトーンが行２、行３中のトーンプラン上にポピュレートされ得る。
【００５５】
[0061]２０ＭＨｚ−オプション１
【００５６】
[0062]一例では、行１は、使用可能なトーン［−１２２：−２］および［２：１２２］を有する、４ｘシンボル持続時間をもつ２０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数１】
0006490801.tif 000002
【００５７】
[0063]上記の式は、１ｘシンボル持続時間のシンボルのためのトーンインデックスの範囲を導出するために使用される入力を表す。４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値−０．５は、整数番号のトーンインデックス上でＬＴＦ信号をマッピングするために使用される。
【００５８】
[0064]この手法は４ｘトーンのための外挿を低減する。この例を続けると、１ｘシンボル持続時間をもつシンボルのためのトーンインデックスは、｛［−１２２：４：−２］Ｕ［２：４：１２２］｝／４に基づいて決定された、トーンインデックス［−３０．５：３０．５］においてポピュレートされ得る。この場合、１のトーンインデックス間隔だけ分離されたあらゆる小数トーンインデックスがポピュレートされる（たとえば、−３０．５、−２９．５、−２８．５、．．．、３０．５）。ＬＴＦシンボルをパックする目的で小数トーンインデックスを整数トーンインデックスにマッピングするために、トーンインデックスは、図３Ｃの行２中のトーンインデックスを導出するために−０．５だけ（ハーフトーン下方に）シフトされ得る。したがって、パックされるべきトーンインデックスは範囲［−３１：３０］を含み、｛［−１２２：４：−２］Ｕ［２：４：１２２］｝／４−０．５＝［−３１：３０］である。この例では、整数トーンインデックスはＤＣトーンを含み、したがって、ＤＣトーンもパックされる。ＤＣトーン（トーンインデックス０）上で送信することを回避するために、ＬＴＦシンボルをパックした（たとえば、様々なトーンインデックスにおいてＬＴＦシンボルに情報を挿入した）後、［−３１：３０］トーンインデックスは、［−３１：３０］＋０．５＝［−３０．５：３０．５］のトーン上で送信信号を生成するために、＋０．５だけシフトされ得る（時間領域位相ランプに対応する、ハーフトーン上方シフト）。さらに、ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−３０．５、−２９．５、−２８．５、．．．、２９．５、３０．５において送信され、各トーンインデックスは１の値だけ分離している。トーンインデックス０（ＤＣトーン）上での送信は回避される。
【００５９】
[0065]４０ＭＨｚ−オプション１
【００６０】
[0066]別の例では、行１は、使用可能なトーン［−２５０：−１３０］、［−１２６：−６］、［６：１２６］、および［１３０：２５０］を有する、４ｘシンボル持続時間をもつ４０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数２】
0006490801.tif 000003
【００６１】
[0067]４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値−０．５は、整数番号のトーンインデックス上でＬＴＦ信号をマッピングするために使用される。
【００６２】
[0068]この手法は４ｘトーンのための外挿を低減する。この例を続けると、１ｘシンボル持続時間をもつシンボルのためのトーンインデックスは、｛［−２５０：４：−１３０］Ｕ［−１２６：４：−６］Ｕ［６：４：１２６］Ｕ［１３０：４：２５０］｝／４に基づいて決定された、トーンインデックス［−６２．５：−１．５］Ｕ［１．５：６２．５］においてポピュレートされ得る。この場合、１のトーンインデックス間隔だけ分離されたほとんどすべての小数トーンインデックスがポピュレートされる（たとえば、−６２．５、−６１．５、−６０．５、．．．、−１．５、１．５、２．５、．．．、６２．５）。ＬＴＦシンボルをパックする目的で小数トーンインデックスを整数トーンインデックスにマッピングするために、トーンインデックスは、行２中のトーンインデックスを導出するために−０．５だけ（ハーフトーン下方に）シフトされ得る。したがって、｛［−２５０：４：−１３０］Ｕ［−１２６：４：−６］Ｕ［６：４：１２６］Ｕ［１３０：４：２５０］｝／４−０．５＝［−６３：−２］Ｕ［１：６２］である。その後、［−６３：−２］Ｕ［１：６２］トーンインデックスは、［−６２：−２］Ｕ［１：６２］＋０．５＝［−６１．５：−１．５］Ｕ［１．５：６２．５］のトーン上で送信信号を生成するために、＋０．５だけシフトされ得る（時間領域位相ランプに対応する、ハーフトーン上方シフト）。ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−６１．５、−６０．５、−５９．５、．．．、−１．５、１．５、２．５、．．．、６２．５において送信され、各トーンインデックスは１の値だけ分離している。トーンインデックス０（ＤＣトーン）上での送信は回避される。
【００６３】
[0069]８０ＭＨｚ−オプション１
【００６４】
[0070]別の例では、行１は、使用可能なトーン［−５０６：−２］、［２：５０６］を有する、４ｘシンボル持続時間をもつ８０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数３】
0006490801.tif 000004
【００６５】
[0071]４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値−０．５は、整数番号のトーンインデックス上でＬＴＦ信号をマッピングするために使用される。
【００６６】
[0072]この手法は４ｘトーンのための外挿を低減する。この例を続けると、１ｘシンボル持続時間をもつシンボルのためのトーンインデックスは、｛［−５０６：４：−２］Ｕ［２：４：５０６］｝／４に基づいて決定された、トーンインデックス［−１２６．５：１２６．５］においてポピュレートされ得る。この場合、１のトーンインデックス間隔だけ分離されたあらゆる小数トーンインデックスがポピュレートされる（たとえば、−１２６．５、−１２５．５、−１２４．５、．．．、１２６．５）。ＬＴＦシンボルをパックする目的で小数トーンインデックスを整数トーンインデックスにマッピングするために、トーンインデックスは、行２中のトーンインデックスを導出するために−０．５だけ（ハーフトーン下方に）シフトされ得る。したがって、パックされるべきトーンインデックスは範囲［−１２７：１２６］を含み、｛［−５０４：４：−２］Ｕ［２：４：５０６］｝／４−０．５＝［−１２７：１２６］である。この例では、整数トーンインデックスは少なくとも１つのＤＣトーンを含み、したがって、少なくとも１つのＤＣトーンもパックされる。ＤＣトーン上で実際に送信することを回避するために、［−１２７：１２６］トーンインデックスは、［−１２７：１２６］＋０．５＝［−１２６．５：１２６．５］のトーン上で送信信号を生成するために、＋０．５だけシフトされ得る（時間領域位相ランプに対応する、ハーフトーン上方シフト）。ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−１２６．５、−１２５．５、−１２４．５、．．．、１２６．５において送信され、各トーンインデックスは１の値だけ分離している。トーンインデックス０（ＤＣトーン）上での送信も回避される。
【００６７】
[0073]２０ＭＨｚ−オプション２
【００６８】
[0074]一例では、行１は、使用可能なトーン［−１２２：−２］および［２：１２２］を有する、４ｘシンボル持続時間をもつ２０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数４】
0006490801.tif 000005
【００６９】
[0075]４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値＋０．５は、整数番号のトーンインデックス上でＬＴＦ信号をマッピングするために使用される。
【００７０】
[0076]この手法は４ｘトーンのための外挿を低減する。この例を続けると、１ｘシンボル持続時間をもつシンボルのためのトーンインデックスは、｛［−１２２：４：−２］Ｕ［２：４：１２２］｝／４に基づいて決定された、トーンインデックス［−３０．５：３０．５］においてポピュレートされ得る。この場合、１のトーンインデックス間隔だけ分離されたあらゆる小数トーンインデックスがポピュレートされる（たとえば、−３０．５、−２９．５、−２８．５、．．．、３０．５）。ＬＴＦシンボルをパックする目的で小数トーンインデックスを整数トーンインデックスにマッピングするために、トーンインデックスは、図３Ｃの行３中のトーンインデックスを導出するために＋０．５だけ（ハーフトーン上方に）シフトされ得る。したがって、｛［−１２２：４：−２］Ｕ［２：４：１２２］｝／４＋０．５＝［−３０：３１］である。この例では、整数トーンインデックスはＤＣトーンを含む。ＤＣトーン（トーンインデックス０）上で送信することを回避するために、ＬＴＦシンボルをパックした（たとえば、様々なトーンインデックスにおいてＬＴＦシンボルに情報を挿入した）後、［−３０：３１］トーンインデックスは、［−３０：３１］−０．５＝［−３０．５：３０．５］のトーン上で送信信号を生成するために、−０．５だけシフトされ得る（時間領域位相ランプに対応する、ハーフトーン下方シフト）。さらに、ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−３０．５、−２９．５、−２８．５、．．．、２９．５、３０．５において送信され、各トーンインデックスは１の値だけ分離している。トーンインデックス０（ＤＣトーン）上での送信は回避される。
【００７１】
[0077]４０ＭＨｚ−オプション２
【００７２】
[0078]別の例では、行１は、使用可能なトーン［−２５０：−１３０］、［−１２６：−６］、［６：１２６］、および［１３０：２５０］を有する、４ｘシンボル持続時間をもつ４０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数５】
0006490801.tif 000006
【００７３】
[0079]４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値＋０．５は、整数番号のトーンインデックス上でＬＴＦ信号をマッピングするために使用される。
【００７４】
[0080]この手法は４ｘトーンのための外挿を低減する。この例を続けると、１ｘシンボル持続時間をもつシンボルのためのトーンインデックスは、｛［−２５０：４：−１３０］Ｕ［−１２６：４：−６］Ｕ［６：４：１２６］Ｕ［１３０：４：２５０］｝／４に基づいて決定された、トーンインデックス［−６２．５：−１．５］Ｕ［１．５：６２．５］においてポピュレートされ得る。この場合、１のトーンインデックス間隔だけ分離されたほとんどすべての小数トーンインデックスがポピュレートされる（たとえば、−６２．５、−６１．５、−６０．５、．．．、−１．５、１．５、２．５、．．．、６２．５）。ＬＴＦシンボルをパックする目的で小数トーンインデックスを整数トーンインデックスにマッピングするために、トーンインデックスは、図３Ｃの行３中のトーンインデックスを導出するために＋０．５だけ（ハーフトーン上方に）シフトされ得る。したがって、｛［−２５０：−４：１３０］Ｕ［−１２６：４：−６］Ｕ［６：４：１２６］Ｕ［１３０：４：２５０］｝／４＋０．５＝［−６２：−１］Ｕ［２：６３］である。その後、［−６２：−１］Ｕ［２：６３］トーンインデックスは、［−６２：−１］Ｕ［２：６３］−０．５＝［−６２．５：−１．５］Ｕ［１．５：６２．５］のトーン上で送信信号を生成するために、−０．５だけシフトされ得る（時間領域位相ランプに対応する、ハーフトーン下方シフト）。ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−６２．５、−６１．５、−６０．５、．．．、−１．５、１．５、２．５、．．．、６２．５において送信され、各トーンインデックスは１の値だけ分離している。トーンインデックス０（ＤＣトーン）上での送信は回避される。
【００７５】
[0081]８０ＭＨｚ−オプション２
【００７６】
[0082]別の例では、行１は、使用可能なトーン［−５０６：−２］、［２：５０６］を有する、４ｘシンボル持続時間をもつ８０ＭＨｚシンボルを示している。４ｘシンボル持続時間をもつＬＴＦシンボル中のトーンは、１ｘシンボル持続時間をもつＬＴＦシンボルが以下の式に基づいて決定された有効な開始および終了トーンインデックスを有することになるように、４ｘシンボル持続時間をもつシンボルの第４のトーンごとのトーンが１ｘシンボル持続時間をもつＬＴＦシンボルにマッピングされるように、ダウンスケールされ得る。
【数６】
0006490801.tif 000007
【００７７】
[0083]４ｘＶａｌｉｄＳｔａｒｔＩｎｄｅｘは、４ｘシンボル持続時間をもつシンボルのための有効な開始トーンインデックスであり、ＤＣＬｅｆｔＩｎｄｅｘはシンボルの最左ＤＣトーンインデックスであり、ＤＣＲｉｇｈｔＩｎｄｅｘはシンボルの最右ＤＣトーンインデックスであり、４ｘＶａｌｉｄＥｎｄＩｎｄｅｘはシンボルのための有効な終了トーンインデックスである。４ｘＶａｌｉｄＳｔａｒｔＩｎｄｅｘとＤＣＬｅｆｔＩｎｄｅｘとの間と、ＤＣＲｉｇｈｔＩｎｄｅｘと４ｘＶａｌｉｄＥｎｄＩｎｄｅｘとの間との値「４」は、４ｘシンボル持続時間をもつシンボルの第４のトーンごとのトーンが、１ｘシンボル持続時間をもつＬＴＦシンボルにマッピングされることを示す。ＤＣＬｅｆｔＩｎｄｅｘ−１は、ＤＣＬｅｆｔＩｎｄｅｘの左側の第１のトーンインデックスを表し、ＤＣＲｉｇｈｔＩｎｄｅｘ＋１は、ＤＣＲｉｇｈｔＩｎｄｅｘの右側の第１のトーンインデックスを表す。値＋０．５は、整数番号のトーンインデックス上でＬＴＦ信号をマッピングするために使用される。
【００７８】
[0084]この手法は４ｘトーンのための外挿を低減する。この例を続けると、１ｘシンボル持続時間をもつシンボルのためのトーンインデックスは、｛［−５０６：４：−２］Ｕ［２：４：５０６］｝／４に基づいて決定された、トーンインデックス［−１２６．５：１２６．５］においてポピュレートされ得る。この場合、１のトーンインデックス間隔だけ分離されたあらゆる小数トーンインデックスがポピュレートされる（たとえば、−１２６．５、−１２５．５、−１２４．５、．．．、１２６．５）。ＬＴＦシンボルをパックする目的で小数トーンインデックスを整数トーンインデックスにマッピングするために、トーンインデックスは、行３中のトーンインデックスを導出するために＋０．５だけ（ハーフトーン上方に）シフトされ得る。したがって、｛［−５０４：４：−２］Ｕ［２：４：５０６］｝／４＋０．５＝［−１２６：１２７］である。その後、［−１２６：１２７］トーンインデックスは、［−１２６：１２７］−０．５＝［−１２６．５：１２６．５］のトーン上で送信信号を生成するために、−０．５だけシフトされ得る（時間領域位相ランプに対応する、ハーフトーン下方シフト）。ハーフトーンシフトは、送信が、［４ｘＶａｌｉｄＳｔａｒｔＩｎｄｅｘ：４：ＤＣＬｅｆｔＩｎｄｅｘ−１  ＤＣＲｉｇｈｔＩｎｄｅｘ＋１：４：４ｘＶａｌｉｄＥｎｄＴｏｎｅＩｎｄｅｘ］／４の正確な周波数時点に行われることを可能にする。このシフトの後、信号は、トーンインデックス−１２６．５、−１２５．５、−１２４．５、．．．、１２６．５において送信され、各トーンインデックスは１の値だけ分離している。トーンインデックス０（ＤＣトーン）上での送信も回避される。
【００７９】
[0085]たとえば、行２中のトーンプランに基づいて、ＳＴＡ２０６は、ＬＴＦを送信するために、トーンインデックス［−３１：３０］を有する１ｘシンボル持続時間をもつ２０ＭＨｚ  ＬＴＦシンボルを使用し得る。ＬＴＦシンボルは、２０ＭＨｚ  ４ｘ  ＬＴＦシンボルに関連付けられたダウンサンプリングされた信号に基づいて、トーンインデックス［−３１：３０］においてパックされ得る。２０ＭＨｚ  １ｘ  ＬＴＦシンボルをパックした後、ＳＴＡは、ハーフトーン上方シフトをもつ２０ＭＨｚ  １ｘ  ＬＴＦシンボル（たとえば、［−３０．５：３０．５］）中で情報（たとえば、ＬＴＦ情報）を送信し得る。２０ＭＨｚ  ＬＴＦ  １ｘシンボルは、たとえば、ＡＰ２０２によって受信され得る。一構成では、ＡＰ２０２は、ＬＴＦシンボル中の受信信号を整数トーンインデックスに関連付けるために逆位相ランプを実行し（たとえば、［−３０．５：３０．５］から［−３１：３０］に移動するために−０．５だけ逆位相ランプを実行し）得る。その後、ＡＰ２０２は、１ｘトーン上の整数トーンインデックス上でＬＴＦ信号を取り出すために１ｘ  ＦＦＴを実行し得る。別の構成では、ＡＰ２０２は、受信信号を２ｘまたは４ｘシンボルトーン中の適切なトーンインデックスにマッピングするために、（たとえば、２ｘ／４ｘ  ＦＦＴを使用して）直接オーバーサンプリングすることによって、逆位相ランプを回避し得る。この例は、送信機としてＳＴＡを使用し、受信機としてＡＰを使用するが、ＡＰは送信機であり得、ＳＴＡは受信機であり得る。また、この動作／プロシージャは行３中のトーンプランに適用される。
【００８０】
[0086]図４Ａ〜図４Ｂは、ＬＴＦ圧縮のためのトーンプラン／インデックスの例示的な図４００、４５０である。ただし、図３Ａ〜図３Ｂに示されているように様々な周波数帯域幅（たとえば、２０ＭＨｚ、４０ＭＨｚ、８０ＭＨｚ）における１ｘまたは２ｘシンボル持続時間をもつＬＴＦシンボルのためのトーンプランを変更するのではなく、別のオプションは、（たとえば、ＩＥＥＥ８０２．１１ａｃにより）１ｘまたは２ｘシンボル持続時間をもつＬＴＦシンボルのための既存のトーンプランを使用し、４ｘシンボル持続時間をもつデータシンボルのためのトーンプランを変更することである。たとえば、図４Ａの行１に示されているように、１ｘシンボル持続時間をもつ２０ＭＨｚシンボルが、［−２８：−１］および［１：２８］のトーンインデックス範囲にわたる使用可能なトーンを有する。１ｘシンボル持続時間をもつ４０ＭＨｚシンボルが、［−５８：−２］および［２：５８］のトーンインデックス範囲にわたる使用可能なトーンを有する。また、１ｘシンボル持続時間をもつ８０ＭＨｚシンボルが、［−１２２：−２］および［２：１２２］のトーンインデックス範囲にわたる使用可能なトーンを有する。行１中の既存のトーンプランに基づいて、４ｘシンボル持続時間をもつデータシンボルのための対応するトーンプランは、１ｘシンボル持続時間におけるＬＴＦシンボルのためのトーンプランの有効な開始および終了インデックスに４を乗算することによって決定され得る。一例では、１ｘシンボル持続時間をもつ２０ＭＨｚ  ＬＴＦシンボルの場合、トーンプランは、（たとえば、ＩＥＥＥ８０２．１１ｎおよび８０２．１１ａｃにより）トーンインデックス［−２８：−１］および［１：２８］における使用可能なトーンを有する。４ｘシンボル持続時間をもつデータシンボル中のチャネル推定値の再構成を容易にするために、データシンボル（たとえば、データシンボル２６８）中の有効な開始トーンインデックスは−２８＊４＝−１１２によって決定され得、有効な終了トーンインデックスは２８＊４＝１１２によって決定され得る。４ｘシンボル持続時間をもつデータシンボル中のＤＣトーンに関して、ＤＣトーンは、１ｘシンボル持続時間のシンボルのためのトーンプランの場合のようなＤＣトーンの数の４倍である必要がないことがある。代わりに、１ｘシンボル持続時間のシンボルが１つのＤＣトーンを有する場合、４ｘシンボル持続時間の対応するデータシンボルは、ノッチフィルタ処理のための同じ周波数幅を与えるために３〜４つのＤＣトーンを有し得る。また、１ｘシンボル持続時間のシンボルが３つのＤＣトーンを有する場合、４ｘシンボル持続時間の対応するデータシンボルは７〜８つのＤＣトーンを有し得る。行１に示されているように、１ｘシンボル持続時間の２０ＭＨｚデータシンボルは１つのＤＣトーンを有する。したがって、行２に示されているように、４ｘシンボル持続時間の２０ＭＨｚデータシンボルは３つのＤＣトーンを有し得、したがって、変更されたトーンプランは、［−１１２：−２］および［２：１１２］からの範囲にわたる使用可能なトーンインデックスを有し得る。使用可能なトーンの総数は、有効な終了トーンインデックス、マイナス有効な開始���ーンインデックス、プラス１、マイナスＤＣトーンの数、に等しい。使用可能なトーンの総数はデータトーンとパイロットトーンとに分割される。一態様では、このトーンプランは、合計２２２個の使用可能なトーンの場合、２１０個のデータトーンと１２個のパイロットトーンとを有し得る。
【００８１】
[0087]別の例では、１ｘシンボル持続時間をもつ４０ＭＨｚ  ＬＴＦシンボルの場合、トーンプランは、（たとえば、ワイヤレス規格ＩＥＥＥ８０２．１１ｎおよび８０２．１１ａｃにより）トーンインデックス［−５８：−２］および［２：５８］における使用可能なトーンを有する。４ｘシンボル持続時間をもつデータシンボル中のチャネル推定値の再構成を容易にするために、データシンボル中の有効な開始トーンインデックスは−５８＊４＝−２３２によって決定され得、有効な終了トーンインデックスは５８＊４＝２３２によって決定され得る。１ｘシンボル持続時間をもつ４０ＭＨｚデータシンボル中のＤＣトーンに関して、３つのＤＣトーンがある。したがって、行２に示されているように、４ｘシンボル持続時間の４０ＭＨｚデータシンボルは７つのＤＣトーンを有し得、したがって、変更されたトーンプランは、［−２３２：−４］および［４：２３２］からの範囲にわたる使用可能なトーンインデックスを有し得る。一態様では、このトーンプランは、合計４５８個の使用可能なトーンの場合、４４４個のデータトーンと１４個のパイロットトーンとを有し得る。
【００８２】
[0088]また別の例では、１ｘシンボル持続時間をもつ８０ＭＨｚ  ＬＴＦシンボルの場合、トーンプランは、（たとえば、ＩＥＥＥ８０２．１１ｎおよび８０２．１１ａｃにより）トーンインデックス［−１２２：−２］および［２：１２２］における使用可能なトーンを有する。４ｘシンボル持続時間をもつデータシンボル中のチャネル推定値の再構成を容易にするために、データシンボル中の有効な開始トーンインデックスは−１２２＊４＝−４８８によって決定され得、有効な終了トーンインデックスは１２２＊４＝４８８によって決定され得る。１ｘシンボル持続時間をもつ８０ＭＨｚデータシンボル中のＤＣトーンに関して、３つのＤＣトーンがある。したがって、行２に示されているように、４ｘシンボル持続時間の８０ＭＨｚデータシンボルは７つのＤＣトーンを有し得、したがって、変更されたトーンプランは、［−４８８：−４］および［４：４８８］からの範囲にわたる使用可能なトーンインデックスを有し得る。一態様では、このトーンプランは、合計９７０個の使用可能なトーンの場合、９５４個のデータトーンと１６個のパイロットトーンとを有し得る。
【００８３】
[0089]別の実施形態では、図４Ｂの行１に示されているように、２ｘシンボル持続時間をもつ２０ＭＨｚシンボルが、［−５８：−２］および［２：５８］のトーンインデックス範囲にわたる使用可能なトーンを有する。２ｘシンボル持続時間をもつ４０ＭＨｚシンボルが、［−１２２：−２］および［２：１２２］のトーンインデックス範囲にわたる使用可能なトーンを有する。また、２ｘシンボル持続時間をもつ８０ＭＨｚシンボルが、［−２５０：−３］および［３：２５０］のトーンインデックス範囲にわたる使用可能なトーンを有する。図４Ｂの行１中の既存のトーンプランに基づいて、４ｘシンボル持続時間をもつデータシンボルのための対応するトーンプランは、２ｘシンボル持続時間におけるＬＴＦシンボルのためのトーンプランの有効な開始および終了インデックスに２を乗算することによって決定され得る。一例では、２ｘシンボル持続時間をもつ２０ＭＨｚ  ＬＴＦシンボルの場合、トーンプランは、（たとえば、ＩＥＥＥ８０２．１１ｎおよび８０２．１１ａｃにより）トーンインデックス［−５８：−２］および［２：５８］における使用可能なトーンを有する。４ｘシンボル持続時間をもつデータシンボル中のチャネル推定値の再構成を容易にするために、データシンボル（たとえば、データシンボル２６８）中の有効な開始トーンインデックスは−５８＊２＝−１１６によって決定され得、有効な終了トーンインデックスは５８＊２＝１１６によって決定され得る。４ｘシンボル持続時間をもつデータシンボル中のＤＣトーンに関して、ＤＣトーンは、２ｘシンボル持続時間のシンボルのためのトーンプランの場合のようなＤＣトーンの数の２倍である必要がないことがある。代わりに、２ｘシンボル持続時間のシンボルが３つのＤＣトーンを有する場合、４ｘシンボル持続時間の対応するデータシンボルは、ノッチフィルタ処理ための同じ周波数幅を与えるために５つのＤＣトーンを有し得る。また、２ｘシンボル持続時間のシンボルが５つのＤＣトーンを有する場合、４ｘシンボル持続時間の対応するデータシンボルは７つのＤＣトーンを有し得る。図４Ｂの行１に示されているように、１ｘシンボル持続時間の２０ＭＨｚデータシンボルは３つのＤＣトーンを有する。したがって、図４Ｂの行２に示されているように、４ｘシンボル持続時間の２０ＭＨｚデータシンボルは５つのＤＣトーンを有し得、したがって、変更されたトーンプランは、［−１１６：−３］および［３：１１６］からの範囲にわたる使用可能なトーンインデックスを有し得る。使用可能なトーンの総数は、有効な終了トーンインデックス、マイナス有効な開始トーンインデックス、プラス１、マイナスＤＣトーンの数、に等しい。使用可能なトーンの総数はデータトーンとパイロットトーンとに分割される。一態様では、このトーンプランは、合計２２８個の使用可能なトーンの場合、２１６個のデータトーンと１２個のパイロットトーンとを有し得る。
【００８４】
[0090]別の例では、２ｘシンボル持続時間をもつ４０ＭＨｚ  ＬＴＦシンボルの場合、トーンプランは、（たとえば、ワイヤレス規格ＩＥＥＥ８０２．１１ｎおよび８０２．１１ａｃにより）トーンインデックス［−１２２：−２］および［２：１２２］における使用可能なトーンを有する。４ｘシンボル持続時間をもつデータシンボル中のチャネル推定値の再構成を容易にするために、データシンボル中の有効な開始トーンインデックスは−１２２＊２＝−２４４によって決定され得、有効な終了トーンインデックスは１２２＊２＝２４４によって決定され得る。２ｘシンボル持続時間をもつ４０ＭＨｚデータシンボル中のＤＣトーンに関して、３つのＤＣトーンがある。したがって、図４Ｂの行２に示されているように、４ｘシンボル持続時間の４０ＭＨｚデータシンボルは５つのＤＣトーンを有し得、したがって、変更されたトーンプランは、［−２４４：−３］および［３：２４４］からの範囲にわたる使用可能なトーンインデックスを有し得る。一態様では、このトーンプランは、合計４８４個の使用可能なトーンの場合、４６８個のデータトーンと１６個のパイロットトーンとを有し得る。
【００８５】
[0091]また別の例では、２ｘシンボル持続時間をもつ８０ＭＨｚ  ＬＴＦシンボルの場合、トーンプランは、（たとえば、ＩＥＥＥ８０２．１１ｎおよび８０２．１１ａｃにより）トーンインデックス［−２５０：−３］および［３：２５０］における使用可能なトーンを有する。４ｘシンボル持続時間をもつデータシンボル中のチャネル推定値の再構成を容易にするために、データシンボル中の有効な開始トーンインデックスは−２５０＊２＝−５００によって決定され得、有効な終了トーンインデックスは２５０＊２＝２５０によって決定され得る。２ｘシンボル持続時間をもつ８０ＭＨｚデータシンボル中のＤＣトーンに関して、５つのＤＣトーンがある。したがって、図４Ｂの行２に示されているように、４ｘシンボル持続時間の８０ＭＨｚデータシンボルは７つのＤＣトーンを有し得、したがって、変更されたトーンプランは、［−５００：−４］および［４：５００］からの範囲にわたる使用可能なトーンインデックスを有し得る。一態様では、このトーンプランは、合計９９４個の使用可能なトーンの場合、９７８個のデータトーンと１６個のパイロットトーンとを有し得る。
【００８６】
[0092]要するに、ＡＰまたはＳＴＡは、ＬＴＦシンボル中のＬＴＦ情報とデータシンボル中のユーザデータとを含んでいるフレームを送信し得る。一実施形態では、ＬＴＦシンボルは、１ｘシンボル持続時間を有し、１ｘシンボル持続時間のシンボルのための既存のトーンプランを利用し得る。データシンボルは、１ｘシンボル持続時間のシンボルのための既存のトーンプランに基づいて、変更されたトーンプランを利用し得る。一例では、ＡＰ（たとえば、ＡＰ２０２）は、２０ＭＨｚデータシンボル（たとえば、データシンボル２６８）中でＳＴＡ（たとえば、ＳＴＡ２０６）にユーザデータを送信し得、２０ＭＨｚデータシンボルは、４ｘシンボル持続時間と、［−１１２：２］および［２：１１２］の使用可能なトーンインデックス範囲とを有する。さらに、チャネル推定の目的で、ＡＰは、２０ＭＨｚ  ＬＴＦシンボル（たとえば、ＬＴＦシンボル２６６）中でＳＴＡにＬＴＦを送信し得、２０ＭＨｚ  ＬＴＦシンボルは、１ｘシンボル持続時間と、［−２８：−１］および［１：２８］の使用可能なトーンインデックス範囲とを有する。
【００８７】
[0093]別の例では、ＬＴＦシンボルは、２ｘシンボル持続時間を有し、２ｘシンボル持続時間のシンボルのための既存のトーンプランを利用し得る。データシンボルは、２ｘシンボル持続時間のシンボルのための既存のトーンプランに基づいて、変更されたトーンプランを利用し得る。たとえば、ＡＰ（たとえば、ＡＰ２０２）は、２０ＭＨｚデータシンボル（たとえば、データシンボル２６８）中でＳＴＡ（たとえば、ＳＴＡ２０６）にユーザデータを送信し得、２０ＭＨｚデータシンボルは、４ｘシンボル持続時間と、［−１１６：−３］および［３：１１６］の使用可能なトーンインデックス範囲とを有する。さらに、チャネル推定の目的で、ＡＰは、２０ＭＨｚ  ＬＴＦシンボル（たとえば、ＬＴＦシンボル２６６）中でＳＴＡにＬＴＦを送信し得、２０ＭＨｚ  ＬＴＦシンボルは、２ｘシンボル持続時間と、［−５８：−２］および［２：５８］の使用可能なトーンインデックス範囲とを有する。
【００８８】
[0094]また別の例では、ＬＴＦシンボルは、（たとえば、図３Ａ〜図３Ｂ中の）変更された２ｘシンボル持続時間を有し得る。データシンボルは、４ｘシンボル持続時間のシンボルのための既存のトーンプランを利用し得る。たとえば、ＡＰ（たとえば、ＡＰ２０２）は、２０ＭＨｚデータシンボル（たとえば、データシンボル２６８）中でＳＴＡ（たとえば、ＳＴＡ２０６）にユーザデータを送信し得、２０ＭＨｚデータシンボルは、４ｘシンボル持続時間と、［−１２２：−２］および［２：１２２］の使用可能なトーンインデックス範囲とを有する。また、特に、チャネル推定の目的で、ＡＰは、２０ＭＨｚ  ＬＴＦシンボル（たとえば、ＬＴＦシンボル２６６）中でＳＴＡにＬＴＦを送信し得、２０ＭＨｚ  ＬＴＦシンボルは、２ｘシンボル持続時間と、［−６１：−２］および［２：６１］の使用可能なトーンインデックス範囲とを有する。
【００８９】
[0095]図５は、図１のワイヤレス通信システム１００内で採用され得、変更されたトーンプランを使用し得るワイヤレスデバイス５０２の機能ブロック図である。ワイヤレスデバイス５０２は、本明細書で説明する様々な方法を実装するように構成され得るデバイスの一例である。たとえば、ワイヤレスデバイス５０２は、ＡＰ１０４、ＡＰ２０２、ＳＴＡ１１２、１１４、１１６、１１８、またはＳＴＡ２０６、２０８、２１０、２１２であり得る。
【００９０】
[0096]ワイヤレスデバイス５０２は、ワイヤレスデバイス５０２の動作を制御するプロセッサ５０４を含み得る。プロセッサ５０４は中央処理ユニット（ＣＰＵ）と呼ばれることもある。読取り専用メモリ（ＲＯＭ）とランダムアクセスメモリ（ＲＡＭ）の両方を含み得るメモリ５０６は、命令とデータとをプロセッサ５０４に与え得る。メモリ５０６の一部は不揮発性ランダムアクセスメモリ（ＮＶＲＡＭ）をも含み得る。プロセッサ５０４は、一般に、メモリ５０６内に記憶されたプログラム命令に基づいて論理演算と算術演算とを実行する。メモリ５０６中の命令は、本明細書で説明する方法を実装するために（たとえば、プロセッサ５０４によって）実行可能であり得る。
【００９１】
[0097]プロセッサ５０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別ハードウェア構成要素、専用ハードウェア有限ステートマシン、あるいは情報の計算または他の操作を実行することができる任意の他の好適なエンティティの任意の組合せを用いて実装され得る。
【００９２】
[0098]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００９３】
[0099]ワイヤレスデバイス５０２はハウジング５０８をも含み得、ワイヤレスデバイス５０２は、ワイヤレスデバイス５０２とリモートデバイスとの間のデータの送信および受信を可能にするために、送信機５１０および／または受信機５１２を含み得る。送信機５１０と受信機５１２とは組み合わせられてトランシーバ５１４になり得る。アンテナ５１６は、ハウジング５０８に取り付けられ、トランシーバ５１４に電気的に結合され得る。ワイヤレスデバイス５０２は、複数の送信機、複数の受信機、複数のトランシーバ、および／または複数のアンテナをも含み得る。
【００９４】
[00100]ワイヤレスデバイス５０２は、トランシーバ５１４または受信機５１２によって受信された信号のレベルを検出および定量化するために使用され得る信号検出器５１８をも含み得る。信号検出器５１８は、そのような信号を、総エネルギー、シンボルごとのサブキャリア当たりのエネルギー、電力スペクトル密度、および他の信号として検出し得る。ワイヤレスデバイス５０２は、信号を処理する際に使用するためのデジタル信号プロセッサ（ＤＳＰ）５２０をも含み得る。ＤＳＰ５２０は、送信のためにパケットを生成するように構成され得る。いくつかの態様では、パケットはＰＰＤＵを備え得る。
【００９５】
[00101]ワイヤレスデバイス５０２は、いくつかの態様ではユーザインターフェース５２２をさらに備え得る。ユーザインターフェース５２２は、キーパッド、マイクロフォン、スピーカー、および／またはディスプレイを備え得る。ユーザインターフェース５２２は、ワイヤレスデバイス５０２のユーザに情報を搬送し、および／またはそのユーザから入力を受信する、任意の要素または構成要素を含み得る。
【００９６】
[00102]ワイヤレスデバイス５０２が、ＡＰ（たとえば、ＡＰ１０４、ＡＰ２０２）としてまたはＳＴＡ（たとえば、ＳＴＡ１１４、ＳＴＡ２０６）として実装されるとき、ワイヤレスデバイス５０２はトーンプラン構成要素５２４をも含み得る。トーンプラン構成要素５２４は、送信機５１０またはトランシーバ５１４を介して、第１のシンボルタイプの第１のシンボル中でユーザデータを送信するように構成され得る。第１のシンボルタイプは、第１のシンボル持続時間と、第１の周波数帯域幅と、第１のトーンプランとを有し得る。第１のトーンプランは、第１の有効な開始トーンインデックスと、第１の有効な終了トーンインデックスと、ＤＣトーンの第１のセットとを有し得る。トーンプラン構成要素５２４は、送信機５１０またはトランシーバ５１４を介して、第２のシンボルタイプの第２のシンボル中でＬＴＦを送信するように構成され得る。第２のシンボルタイプは、第２のシンボル持続時間と、第２の周波数帯域幅と、第２のトーンプランとを有し得る。第２のトーンプランは、第２の有効な開始トーンインデックスと、第２の有効な終了トーンインデックスと、ＤＣトーンの第２のセットとを有し得る。一構成では、トーンプラン構成要素５２４は、構成情報に基づいて、第１のシンボルタイプに関連付けられた第１のトーンプランを決定するように構成され得る。この構成では、トーンプラン構成要素５２４は、構成情報に基づいて、第２のシンボルタイプに関連付けられた第２のトーンプランを決定するように構成され得る。別の構成では、第２のシンボル持続時間は第１のシンボル持続時間よりも短くなり得る。別の構成では、第２の有効な開始トーンインデックスは第１の有効な開始トーンインデックスの関数であり、第２の有効な終了トーンインデックスは第１の有効な終了トーンインデックスの関数である。別の構成では、ＤＣトーンの第１のセットは、トーンインデックス−１、０、および１に位置する３つのＤＣトーンを含み得、ＤＣトーンの第２のセットは、トーンインデックス０に位置する１つのＤＣトーンを含み得る。別の構成では、ＤＣトーンの第１のセットは、トーンインデックス−５、−４、−３、−２、−１、０、１、２、３、４、および５に位置する１１個のＤＣトーンを含み得、ＤＣトーンの第２のセットは、トーンインデックス−１、０、および１に位置する３つのＤＣトーン、またはトーンインデックス０に位置する１つのＤＣトーンを含み得る。別の構成では、ＤＣトーンの第１のセットは、トーンインデックス−３、−２、−１、０、１、２、および３に位置する７つのＤＣトーンを含み得、ＤＣトーンの第２のセットは、トーンインデックス−１、０、および１に位置する３つのＤＣトーン、またはトーンインデックス０における１つのＤＣトーンを含み得る。別の構成では、第１のシンボル持続時間は第２のシンボル持続時間よりも４倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−３１であり得、第２の有効な終了トーンインデックスは３０であり得る。別の��成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６３であり得、第２の有効な終了トーンインデックスは６２であり得る。別の構成では、第１のシンボル持続時間は第２のシンボル持続時間よりも４倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−１２７であり得、第２の有効な終了トーンインデックスは１２６であり得る。別の構成では、第２のシンボル中でＬＴＦを送信することは、第２のシンボルに関連付けられ、アップシフト値に基づいてアップシフトされた、トーンインデックスのアップシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−３０であり得、第２の有効な終了トーンインデックスは３１であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６２であり得、第２の有効な終了トーンインデックスは６３であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−１２６であり得、第２の有効な終了トーンインデックスは１２７であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍��くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−３０であり得、第２の有効な終了トーンインデックスは３０であり得る。別の構成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６２であり得、第２の有効な終了トーンインデックスは６２であり得る。別の構成では、第１のシンボル持続時間は第２のシンボル持続時間よりも４倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−１２６であり得、第２の有効な終了トーンインデックスは１２６であり得る。別の構成では、ＤＣトーンの第１のセットは、トーンインデックス−１、０、および１に位置する３つのＤＣトーンを含み得、ＤＣトーンの第２のセットは、トーンインデックス−１、０、および１に位置する３つのＤＣトーンを含み得る。別の構成では、ＤＣトーンの第１のセットは、トーンインデックス−５、−４、−３、−２、−１、０、１、２、３、４、および５に位置する１１個のＤＣトーンを含み得、ＤＣトーンの第２のセットは、トーンインデックス−２、−１、０、１、および２に位置する５つのＤＣトーン、またはトーンインデックス−１、０、および１に位置する３つのＤＣトーンを含み得る。別の構成では、ＤＣトーンの第１のセットは、トーンインデックス−３、−２、−１、０、１、２、および３に位置する７つのＤＣトーンを含み得、ＤＣトーンの第２のセットは、トーンインデックス−２、−１、０、１、および２に位置する５つのＤＣトーン、またはトーンインデックス−１、０、および１に位置する３つのＤＣトーンを含み得る。別の構成では、第１のシンボル持続時間は第２のシンボル持続時間よりも２倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−６１であり得、第２の有効な終了トーンインデックスは６１であり得る。別の構成では、第１のシンボル持続時間は第２のシンボル持続時間よりも２倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−１２５であり得、第２の有効な終了トーンインデックスは１２５であり得る。別の構成では、第１のシンボル持続時間は第２のシンボル持続時間よりも２倍長くなり得、第１の周波数帯域幅および第２の周波数帯域��は８０メガヘルツであり得、第１の有効な開始トーンインデックスは−５０６であり得、第１の有効な終了トーンインデックスは５０６であり得、第２の有効な開始トーンインデックスは−２５３であり得、第２の有効な終了トーンインデックスは２５３であり得る。別の構成では、第１のトーンプランは第２のトーンプランに基づき得る。一態様では、第１のシンボル持続時間は第２のシンボル持続時間よりも４倍長くなり得、第１の有効な開始トーンインデックスは、４を乗算された第２の有効な開始トーンインデックスに等しくなり得、第１の有効な終了トーンインデックスは、４を乗算された第２の有効な終了トーンインデックスに等しくなり得る。別の態様では、ＤＣトーンの第２のセットは１つのＤＣトーンを含み得、ＤＣトーンの第１のセットは、トーンインデックス−１、０、および１に位置する３つのＤＣトーンを含み得る。また別の態様では、ＤＣトーンの第２のセットは３つのＤＣトーンを含み得、ＤＣトーンの第１のセットは、トーンインデックス−３、−２、−１、０、１、２、および３に位置する７つのＤＣトーンを含み得る。別の構成では、第１の周波数帯域幅は２０メガヘルツであり得、第１の有効な開始トーンインデックスは−１１２であり得、第１の有効な終了トーンインデックスは１１２であり得る。別の構成では、第１の周波数帯域幅は４０メガヘルツであり得、第１の有効な開始トーンインデックスは−２３２であり得、第１の有効な終了トーンインデックスは２３２であり得る。別の構成では、第１の周波数帯域幅は８０メガヘルツであり得、第１の有効な開始トーンインデックスは−４８８であり得、第１の有効な終了トーンインデックスは４８８であり得る。別の構成では、第１のシンボル持続時間は第２のシンボル持続時間よりも２倍長くなり得、第１の有効な開始トーンインデックスは、２を乗算された第２の有効な開始トーンインデックスに等しくなり得、第１の有効な終了トーンインデックスは、２を乗算された第２の有効な終了トーンインデックスに等しくなり得る。別の構成では、ＤＣトーンの第２のセットは３つのＤＣトーンを含み得、ＤＣトーンの第１のセットは、トーンインデックス−２、−１、０、１、および２に位置する５つのＤＣトーンを含み得る。別の構成では、ＤＣトーンの第２のセットは３つのＤＣトーンを含み得、ＤＣトーンの第１のセットは、トーンインデックス−２、−１、０、１
、および２に位置する５つのＤＣトーンを含み得る。別の構成では、ＤＣトーンの第２のセットは５つのＤＣトーンを含み得、ＤＣトーンの第１のセットは、トーンインデックス−３、−２、−１、０、１、２、および３に位置する７つのＤＣトーンを含み得る。別の構成では、第１の周波数帯域幅は２０メガヘルツであり得、第１の有効な開始トーンインデックスは−１１６であり得、第１の有効な終了トーンインデックスは１１６であり得る。別の構成では、第１の周波数帯域幅は４０メガヘルツであり得、第１の有効な開始トーンインデックスは−２４４であり得、第１の有効な終了トーンインデックスは２４４であり得る。別の構成では、第１の周波数帯域幅は８０メガヘルツであり得、第１の有効な開始トーンインデックスは−５００であり得、第１の有効な終了トーンインデックスは５００であり得る。
【００９７】
[00103]ワイヤレスデバイス５０２の様々な構成要素はバスシステム５２６によって互いに結合され得る。バスシステム５２６は、たとえば、データバス、ならびに、データバスに加えて、電力バスと、制御信号バスと、ステータス信号バスとを含み得る。ワイヤレスデバイス５０２の構成要素は、何らかの他の機構を使用して、互いに結合されるか、あるいは互いに入力を受け付けるかまたは与え得る。
【００９８】
[00104]いくつかの別個の構成要素が図５に示されているが、それらの構成要素のうちの１つまたは複数は、組み合わせられるかまたは共通に実装され得る。たとえば、プロセッサ５０４は、プロセッサ５０４に関して上記で説明した機能を実装するためだけでなく、信号検出器５１８、ＤＳＰ５２０、ユーザインターフェース５２２、および／またはトーンプラン構成要素５２４に関して上記で説明した機能を実装するためにも使用され得る。さらに、図５に示されている構成要素の各々は、複数の別個の要素を使用して実装され得る。
【００９９】
[00105]図６は、変更されたトーンプランを使用したワイヤレス通信の例示的な方法６００のフローチャートである。方法６００は、装置（たとえば、ＡＰ１０４、ＡＰ２０２、ＳＴＡ１１４、ＳＴＡ２０６、または、たとえば、ワイヤレスデバイス５０２）を使用して実行され得る。方法６００について図５のワイヤレスデバイス５０２の要素に関して以下で説明するが、本明細書で説明するステップのうちの１つまたは複数を実装するために他の構成要素が使用され得る。図６において、点線で示されたブロックはオプションのステップを表す。
【０１００】
[00106]ブロック６０５において、本装置は、構成情報と、第１のシンボル持続時間と、第１の周波数帯域幅とに基づいて、第１のシンボルタイプに関連付けられた第１のトーンプランを決定する。第１のトーンプランは、第１の有効な開始トーンインデックスと、第１の有効な終了トーンインデックスと、ＤＣトーンの第１のセットとを含み得る。たとえば、図２を参照すると、ＡＰ２０２は、構成情報と、第１のシンボル持続時間と、第１の周波数帯域幅とに基づいて、データシンボルのための第１のトーンプランを決定し得る。この例では、ＡＰ２０２は、データシンボルのための４ｘシンボル持続時間（第１のシンボル持続時間）をもつ２０ＭＨｚシンボル（第１の周波数）を選定するか、またはそれを使用するように構成され得る。２０ＭＨｚ周波数と４ｘシンボル持続時間とに基づいて、ＡＰ２０２は、どのトーンプランを使用すべきかを、構成情報によって示されるように、決定し得る。たとえば、構成情報は、［−１２２：−２］Ｕ［２：１２２］における使用可能なトーンインデックスを示し得る。
【０１０１】
[00107]ブロック６１０において、本装置は、第１のシンボルタイプの第１のシンボル中でユーザデータを送信する。第１のシンボルタイプは、第１のシンボル持続時間と、第１の周波数帯域幅と、第１のトーンプランとを有し得る。たとえば、図２を参照すると、ＡＰ２０２は、４ｘシンボル持続時間と、２０ＭＨｚ帯域幅と、［−１２２：−２］Ｕ［２：１２２］における使用可能なトーンインデックスをもつ第１のトーンプランとを有する第１のシンボルタイプの第１のシンボル中でユーザデータを送信し得る。一態様では、データシンボル２６８のシンボル内のユーザデータはフレーム２５０中で送信され得る。
【０１０２】
[00108]ブロック６１５において、本装置は、構成情報に基づいて、第２のシンボルタイプに関連付けられた第２のトーンプランを決定する。第２のトーンプランは、第２の有効な開始トーンインデックスと、第２の有効な終了トーンインデックスと、ＤＣトーンの第２のセットとを含み得る。たとえば、図２を参照すると、ＡＰ２０２は、構成情報と、第２のシンボル持続時間と、第２の周波数帯域幅とに基づいて、ＬＴＦシンボルのための第２のトーンプランを決定し得る。この例では、ＡＰ２０２は、ＬＴＦシンボルのための２ｘシンボル持続時間（第２のシンボル持続時間）をもつ２０ＭＨｚシンボル（第２の周波数）を選定するか、またはそれを使用するように構成され得る。２０ＭＨｚ周波数と２ｘシンボル持続時間とに基づいて、ＡＰ２０２は、どのトーンプランを使用すべきかを、構成情報によって示されるように、決定し得る。たとえば、構成情報は、使用可能なトーンインデックス［−６１：−１］Ｕ［１：６１］を示し得る。
【０１０３】
[00109]ブロック６２０において、本装置は、第２のシンボルタイプの第２のシンボル中でＬＴＦを送信する。第２のシンボルタイプは、第２のシンボル持続時間と、第２の周波数帯域幅と、第２のトーンプランとを有し得る。たとえば、図２を参照すると、ＡＰ２０２は、２ｘシンボル持続時間と、２０ＭＨｚ帯域幅と、［−６１：−１］Ｕ［１：６１］における使用可能なトーンインデックスをもつ第２のトーンプランとを有する第２のシンボルタイプのＬＴＦシンボル中でＬＴＦ（またはＬＴＦの一部）を送信し得る。
【０１０４】
[00110]上述の例はＡＰに関して説明したが、ＳＴＡが同様のプロシージャを実行し得る。たとえば、ＳＴＡ２０６は、ＳＴＡ２０６内の事前構成された情報に基づいて、第１のトーンプランを決定し得る。一例では、事前構成された情報は、ユーザデータが、［−１２２：−２］および［２：１２２］の範囲内の使用可能なトーンを有するトーンプランに基づいて、４ｘシンボル持続時間をもつ２０ＭＨｚデータシンボル（たとえば、データシンボル２６８）上で送信されるべきであることを示し得る。事前構成された情報は、ＬＴＦデータが、［−３０：−１］および［１：３０］の範囲内の使用可能なトーンを有する変更されたトーンプランに基づいて、１ｘシンボル持続時間をもつ２０ＭＨｚ  ＬＴＦシンボル（たとえば、ＬＴＦシンボル２６６）上で送信されるべきであることを示し得る。ＳＴＡ２０６は、事前構成された情報に従って、それぞれ、データシンボルおよびＬＴＦシンボル中でユーザデータおよびＬＴＦデータを送信し得る。
【０１０５】
[00111]別の例では、事前構成された情報は、ユーザデータが、［−１１２：−２］および［２：１１２］の範囲内の使用可能なトーンを有する変更されたトーンプランに基づいて、４ｘシンボル持続時間をもつ２０ＭＨｚデータシンボル（たとえば、データシンボル２６８）上で送信されるべきであることを示し得る。事前構成された情報は、ＬＴＦデータが、［−２８：−１］および［１：２８］の範囲内の使用可能なトーンを有する既存のトーンプランに基づいて、１ｘシンボル持続時間をもつ２０ＭＨｚ  ＬＴＦシンボル（たとえば、ＬＴＦシンボル２６６）上で送信されるべきであることを示し得る。ＳＴＡ２０６は、事前構成された情報に従って、それぞれ、データシンボルおよびＬＴＦシンボル中でユーザデータおよびＬＴＦデータを送信し得る。
【０１０６】
[00112]一例では、事前構成された情報は、ユーザデータが、［−１２２：−２］および［２：１２２］の範囲内の使用可能なトーンを有する既存のトーンプランに基づいて、４ｘシンボル持続時間をもつ２０ＭＨｚデータシンボル（たとえば、データシンボル２６８）上で送信されるべきであることを示し得る。事前構成された情報は、ＬＴＦデータが、［−６１：−２］および［２：６１］の範囲内の使用可能なトーンを有する変更されたトーンプランに基づいて、２ｘシンボル持続時間をもつ２０ＭＨｚ  ＬＴＦシンボル（たとえば、ＬＴＦシンボル２６６）上で送信されるべきであることを示し得る。ＳＴＡ２０６は、事前構成された情報に従って、それぞれ、データシンボルおよびＬＴＦシンボル中でユーザデータおよびＬＴＦデータを送信し得る。
【０１０７】
[00113]別の例では、事前構成された情報は、ユーザデータが、［−１１６：−３］および［３：１１６］の範囲内の使用可能なトーンを有する変更されたトーンプランに基づいて、４ｘシンボル持続時間をもつ２０ＭＨｚデータシンボル（たとえば、データシンボル２６８）上で送信されるべきであることを示し得る。事前構成された情報は、ＬＴＦデータが、［−５８：−２］および［２：５８］の範囲内の使用可能なトーンを有する既存のトーンプランに基づいて、２ｘシンボル持続時間をもつ２０ＭＨｚ  ＬＴＦシンボル（たとえば、ＬＴＦシンボル２６６）上で送信されるべきであることを示し得る。ＳＴＡ２０６は、事前構成された情報に従って、それぞれ、データシンボルおよびＬＴＦシンボル中でユーザデータおよびＬＴＦデータを送信し得る。
【０１０８】
[00114]図７は、変更されたトーンプランを使用した例示的なワイヤレス通信デバイス７００の機能ブロック図である。ワイヤレス通信デバイス７００は、受信機７０５と、処理システム７１０と、送信機７１５とを含み得る。処理システム７１０はトーンプラン構成要素７２４を含み得る。処理システム７１０、トーンプラン構成要素７２４、および／または送信機７１５は、第１のシンボルタイプの第１のシンボル中でユーザデータを送信するように構成され得る。第１のシンボルタイプは、第１のシンボル持続時間と、第１の周波数帯域幅と、第１のトーンプランとを有し得、第１のトーンプランは、第１の有効な開始トーンインデックスと、第１の有効な終了トーンインデックスと、ＤＣトーンの第１のセットとを含み得る。処理システム７１０、トーンプラン構成要素７２４、および／または送信機７１５は、第２のシンボルタイプの第２のシンボル中でＬＴＦを送信するように構成され得る。第２のシンボルタイプは、第２のシンボル持続時間と、第２の周波数帯域幅と、第２のトーンプランとを有し得、第２のトーンプランは、第２の有効な開始トーンインデックスと、第２の有効な終了トーンインデックスと、ＤＣトーンの第２のセットとを含み得る。一構成では、処理システム７１０および／またはトーンプラン構成要素７２４は、構成情報に基づいて、第１のシンボルタイプに関連付けられた第１のトーンプランを決定するように構成され得る。この構成では、処理システム７１０および／またはトーンプラン構成要素７２４は、構成情報に基づいて、第２のシンボルタイプに関連付けられた第２のトーンプランを決定するように構成され得る。別の構成では、第２のシンボル持続時間は第１のシンボル持続時間よりも短くなり得る。別の構成では、第２の有効な開始トーンインデックスは第１の有効な開始トーンインデックスの関数であり、第２の有効な終了トーンインデックスは第１の有効な終了トーンインデックスの関数である。別の構成では、ＤＣトーンの第１のセットは、トーンインデックス−１、０、および１に位置する３つのＤＣトーンを含み得、ＤＣトーンの第２のセットは、トーンインデックス０に位置する１つのＤＣトーンを含み得る。別の構成では、ＤＣトーンの第１のセットは、トーンインデックス−５、−４、−３、−２、−１、０、１、２、３、４、および５に位置する１１個のＤＣトーンを含み得、ＤＣトーンの第２のセットは、トーンインデックス−１、０、および１に位置する３つのＤＣトーン、またはトーンインデックス０に位置する１つのＤＣトーンを含み得る。別の構成では、ＤＣトーンの第１のセットは、トーンインデックス−３、−２、−１、０、１、２、および３に位置する７つのＤＣトーンを含み得、ＤＣトーンの第２のセットは、トーンインデックス−１、０、および１に位置する３つのＤＣトーン、またはトーンインデックス０における１つのＤＣトーンを含み得る。別の構成では、第１のシンボル持続時間は第２のシンボル持続時間よりも４倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２��有効な開始トーンインデックスは−３１であり得、第２の有効な終了トーンインデックスは３０であり得る。別の構成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６３であり得、第２の有効な終了トーンインデックスは６２であり得る。別の構成では、第１のシンボル持続時間は第２のシンボル持続時間よりも４倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−１２７であり得、第２の有効な終了トーンインデックスは１２６であり得る。別の構成では、第２のシンボル中でＬＴＦを送信することは、第２のシンボルに関連付けられ、アップシフト値に基づいてアップシフトされた、トーンインデックスのアップシフトされたサブセット中でＬＴＦを送信することを含み得る。別の構成では、第２のシンボル中でＬＴＦを送信することは、ＤＣトーンに対応するトーンインデックスを含む、第２の有効な開始トーンインデックスと第２の有効な終了トーンインデックスとにおけるおよびそれらの間のすべてのトーンインデックス中にＬＴＦ情報を挿入することと、第２のシンボルに関連付けられ、アップシフト値に基づいてアップシフトされた、トーンインデックスのアップシフトされたサブセット中でＬＴＦを送信することとを含み得る。別の構成では、第１のシンボル持続時間は第２のシンボル持続時間よりも４倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−３０であり得、第２の有効な終了トーンインデックスは３１であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６２であり得、第２の有効な終了トーンインデックスは６３であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は��０メガヘルツであり得、第１の有効な開始トーンインデックスは−５０６であり得、第１の有効な終了トーンインデックスは５０６であり得、第２の有効な開始トーンインデックスは−１２６であり得、第２の有効な終了トーンインデックスは１２７であり得る。この構成では、第２のシンボル中でＬＴＦを送信することは、第２のシンボルに関連付けられ、ダウンシフト値に基づいてダウンシフトされた、トーンインデックスのダウンシフトされたサブセット中でＬＴＦを送信することを含み得る。別の構成では、第１のシンボル持続時間は第２のシンボル持続時間よりも４倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−３０であり得、第２の有効な終了トーンインデックスは３０であり得る。別の構成では、第１のシンボル持続時間は第２のシンボル持続時間よりも４倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−６２であり得、第２の有効な終了トーンインデックスは６２であり得る。別の構成では、第１のシンボル持続時間は第２のシンボル持続時間よりも４倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−１２６であり得、第２の有効な終了トーンインデックスは１２６であり得る。別の構成では、ＤＣトーンの第１のセットは、トーンインデックス−１、０、および１に位置する３つのＤＣトーンを含み得、ＤＣトーンの第２のセットは、トーンインデックス−１、０、および１に位置する３つのＤＣトーンを含み得る。別の構成では、ＤＣトーンの第１のセットは、トーンインデックス−５、−４、−３、−２、−１、０、１、２、３、４、および５に位置する１１個のＤＣトーンを含み得、ＤＣトーンの第２のセットは、トーンインデックス−２、−１、０、１、および２に位置する５つのＤＣトーン、またはトーンインデックス−１、０、および１に位置する３つのＤＣトーンを含み得る。別の構成では、ＤＣトーンの第１のセットは、トーンインデックス−３、−２、−１、０、１、２、および３に位置する７つのＤＣトーンを含み得、ＤＣトーンの第２のセットは、トーンインデックス−２、−１、０、１、および２に位置する５つのＤＣトーン、またはトーンインデックス−１、０、および１に位置する３つのＤＣトーンを含み得る。別の構成では、第１のシンボル持続時間は第２のシンボル持続時間よりも２倍長くなり得、第１の周波数帯域幅および第２の周波数帯域幅は２０メガヘルツであり得、第１の有効な開始トーンインデックスは−１２２であり得、第１の有効な終了トーンインデックスは１２２であり得、第２の有効な開始トーンインデックスは−６１であり得、第２の有効な終了��ーンインデックスは６１であり得る。別の構成では、第１のシンボル持続時間は第２のシンボル持続時間よりも２倍長くなり得、第１の周波数帯域幅および第２の周波数帯域幅は４０メガヘルツであり得、第１の有効な開始トーンインデックスは−２５０であり得、第１の有効な終了トーンインデックスは２５０であり得、第２の有効な開始トーンインデックスは−１２５であり得、第２の有効な終了トーンインデックスは１２５であり得る。別の構成では、第１のシンボル持続時間は第２のシンボル持続時間よりも２倍長くなり得、第１の周波数帯域幅および第２の周波数帯域幅は８０メガヘルツであり得、第１の有効な開始トーンインデックスは−５０６であり得、第１の有効な終了トーンインデックスは５０６であり得、第２の有効な開始トーンインデックスは−２５３であり得、第２の有効な終了トーンインデックスは２５３であり得る。別の構成では、第１のトーンプランは第２のトーンプランに基づき得る。一態様では、第１のシンボル持続時間は第２のシンボル持続時間よりも４倍長くなり得、第１の有効な開始トーンインデックスは、４を乗算された第２の有効な開始トーンインデックスに等しくなり得、第１の有効な終了トーンインデックスは、４を乗算された第２の有効な終了トーンインデックスに等しくなり得る。別の態様では、ＤＣトーンの第２のセットは１つのＤＣトーンを含み得、ＤＣトーンの第１のセットは、トーンインデックス−１、０、および１に位置する３つのＤＣトーンを含み得る。また別の態様では、ＤＣトーンの第２のセットは３つのＤＣトーンを含み得、ＤＣトーンの第１のセットは、トーンインデックス−３、−２、−１、０、１、２、および３に位置する７つのＤＣトーンを含み得る。別の構成では、第１の周波数帯域幅は２０メガヘルツであり得、第１の有効な開始トーンインデックスは−１１２であり得、第１の有効な終了トーンインデックスは１１２であり得る。別の構成では、第１の周波数帯域幅は４０メガヘルツであり得、第１の有効な開始トーンインデックスは−２３２であり得、第１の有効な終了トーンインデックスは２３２であり得る。また別の構成では、第１の周波数帯域幅は８０メガヘルツであり得、第１の有効な開始トーンインデックスは−４８８であり得、第１の有効な終了トーンインデックスは４８８であり得る。別の構成では、第１のシンボル持続時間は第２のシンボル持続時間よりも２倍
長くなり得、第１の有効な開始トーンインデックスは、２を乗算された第２の有効な開始トーンインデックスに等しくなり得、第１の有効な終了トーンインデックスは、２を乗算された第２の有効な終了トーンインデックスに等しくなり得る。別の構成では、ＤＣトーンの第２のセットは３つのＤＣトーンを含み得、ＤＣトーンの第１のセットは、トーンインデックス−２、−１、０、１、および２に位置する５つのＤＣトーンを含み得る。別の構成では、ＤＣトーンの第２のセットは３つのＤＣトーンを含み得、ＤＣトーンの第１のセットは、トーンインデックス−２、−１、０、１、および２に位置する５つのＤＣトーンを含み得る。別の構成では、ＤＣトーンの第２のセットは５つのＤＣトーンを含み得、ＤＣトーンの第１のセットは、トーンインデックス−３、−２、−１、０、１、２、および３に位置する７つのＤＣトーンを含み得る。別の構成では、第１の周波数帯域幅は２０メガヘルツであり得、第１の有効な開始トーンインデックスは−１１６であり得、第１の有効な終了トーンインデックスは１１６であり得る。別の構成では、第１の周波数帯域幅は４０メガヘルツであり得、第１の有効な開始トーンインデックスは−２４４であり得、第１の有効な終了トーンインデックスは２４４であり得る。別の構成では、第１の周波数帯域幅は８０メガヘルツであり得、第１の有効な開始トーンインデックスは−５００であり得、第１の有効な終了トーンインデックスは５００であり得る。
【０１０９】
[00115]受信機７０５、処理システム７１０、トーンプラン構成要素７２４、および／または送信機７１５は、図６のブロック６０５、６１０、６１５、および６２０に関して上記で説明した１つまたは複数の機能を実行するように構成され得る。受信機７０５は受信機５１２に対応し得る。処理システム７１０はプロセッサ５０４に対応し得る。送信機７１５は送信機５１０に対応し得る。トーンプラン構成要素７２４は、トーンプラン構成要素１２４および／またはトーンプラン構成要素５２４に対応し得る。
【０１１０】
[00116]その上、第１のシンボルタイプの第１のシンボル中でユーザデータを送信するための手段は、処理システム７１０、トーンプラン構成要素７２４、および／または送信機７１５を備え得る。第２のシンボルタイプの第２のシンボル中でＬＴＦを送信するための手段は、処理システム７１０、トーンプラン構成要素７２４、および／または送信機７１５を備え得る。第１のトーンプランを決定するための手段は、処理システム７１０および／またはトーンプラン構成要素７２４を備え得る。第２のトーンプランを決定するための手段は、処理システム７１０および／またはトーンプラン構成要素７２４を備え得る。
【０１１１】
[00117]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【０１１２】
[00118]本開示に関連して説明した様々な例示的な論理ブロック、構成要素、および回路は、汎用プロセッサ、ＤＳＰ、特定用途向け集積回路（ＡＳＩＣ）、ＦＰＧＡまたは他のＰＬＤ、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１３】
[00119]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、コンパクトディスク（ＣＤ）−ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。したがって、コンピュータ可読媒体は非一時的コンピュータ可読媒体（たとえば、有形媒体）を備える。
【０１１４】
[00120]本明細書で開示した方法は、説明した方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されない限り、特定のステップおよび／またはアクションの順序および／または使用は特許請求の範囲から逸脱することなく変更され得る。
【０１１５】
[00121]したがって、いくつかの態様は、本明細書で提示した動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１１６】
[00122]さらに、本明細書で説明した方法および技法を実行するための構成要素および／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、ＣＤまたはフロッピーディスクなどの物理的記憶媒体など）によって提供され得る。その上、本明細書で説明した方法および技法をデバイスに与えるための任意の他の好適な技法が利用され得る。
【０１１７】
[00123]特許請求の範囲は、上記で示した厳密な構成および構成要素に限定されないことを理解されたい。特許請求の範囲から逸脱することなく、上記で説明した方法および装置の構成、動作および詳細において、様々な修正、変更および変形が行われ得る。
【０１１８】
[00124]上記は本開示の態様を対象とするが、本開示の他の態様およびさらなる態様は、それの基本的範囲から逸脱することなく考案され得、それの範囲は以下の特許請求の範囲によって決定される。
【０１１９】
[00125]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
[Ｃ１]  ワイヤレスデバイスを動作させる方法であって、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、方法。
[Ｃ２]  構成情報に基づいて、前記第１のシンボルタイプに関連付けられた前記第１のトーンプランを決定することと、
前記構成情報に基づいて、前記第２のシンボルタイプに関連付けられた前記第２のトーンプランを決定することと
をさらに備える、Ｃ１に記載の方法。
[Ｃ３]  前記第２のシンボル持続時間が前記第１のシンボル持続時間よりも短い、Ｃ１に記載の方法。
[Ｃ４]  前記第２の有効な開始トーンインデックスが前記第１の有効な開始トーンインデックスの関数であり、前記第２の有効な終了トーンインデックスが前記第１の有効な終了トーンインデックスの関数である、Ｃ１に記載の方法。
[Ｃ５]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ１に記載の方法。
[Ｃ６]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ１に記載の方法。
[Ｃ７]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ１に記載の方法。
[Ｃ８]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ１に記載の方法。
[Ｃ９]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１に記載の方法。
[Ｃ１０]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１に記載の方法。
[Ｃ１１]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ１に記載の方法。
[Ｃ１２]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ１に記載の方法。
[Ｃ１３]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ１に記載の方法。
[Ｃ１４]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ１に記載の方法。
[Ｃ１５]  ワイヤレス通信のための装置であって、
第１のシンボルタイプの第１のシンボル中でユーザデータを送信するための手段と、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信するための手段と、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を備える、装置。
[Ｃ１６]  構成情報に基づいて、前記第１のシンボルタイプに関連付けられた前記第１のトーンプランを決定するための手段と、
前記構成情報に基づいて、前記第２のシンボルタイプに関連付けられた前記第２のトーンプランを決定するための手段とをさらに備える、Ｃ１５に記載の装置。
[Ｃ１７]  前記第２のシンボル持続時間が前記第１のシンボル持続時間よりも短い、Ｃ１５に記載の装置。
[Ｃ１８]  前記第２の有効な開始トーンインデックスが前記第１の有効な開始トーンインデックスの関数であり、前記第２の有効な終了トーンインデックスが前記第１の有効な終了トーンインデックスの関数である、Ｃ１５に記載の装置。
[Ｃ１９]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ１５に記載の装置。
[Ｃ２０]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ１５に記載の装置。
[Ｃ２１]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ１５に記載の装置。
[Ｃ２２]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ１５に記載の装置。
[Ｃ２３]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１５に記載の装置。
[Ｃ２４]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ１５に記載の装置。
[Ｃ２５]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ１５に記載の装置。
[Ｃ２６]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ１５に記載の装置。
[Ｃ２７]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ１５に記載の装置。
[Ｃ２８]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ１５に記載の装置。
[Ｃ２９]  ワイヤレス通信のための装置であって、
メモリと、
前記メモリに結合された少なくとも１つのプロセッサと
を備え、前記少なくとも１つのプロセッサは、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うように構成された、
装置。
[Ｃ３０]  前記少なくとも１つのプロセッサが、
構成情報に基づいて、前記第１のシンボルタイプに関連付けられた前記第１のトーンプランを決定することと、
前記構成情報に基づいて、前記第２のシンボルタイプに関連付けられた前記第２のトーンプランを決定することと
を行うようにさらに構成された、Ｃ２９に記載の装置。
[Ｃ３１]  前記第２のシンボル持続時間が前記第１のシンボル持続時間よりも短い、Ｃ２９に記載の装置。
[Ｃ３２]  前記第２の有効な開始トーンインデックスが前記第１の有効な開始トーンインデックスの関数であり、前記第２の有効な終了トーンインデックスが前記第１の有効な終了トーンインデックスの関数である、Ｃ２９に記載の装置。
[Ｃ３３]  ＤＣトーンの前記第１のセットが、トーンインデックス−１、０、および１に位置する３つのＤＣトーンを含み、ＤＣトーンの前記第２のセットが、トーンインデックス０に位置する１つのＤＣトーンを含む、Ｃ２９に記載の装置。
[Ｃ３４]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−１、０、および１に位置する３つのＤＣトーン、またはトーンインデックス０に位置する１つのＤＣトーンを含む、Ｃ２９に記載の装置。
[Ｃ３５]  ＤＣトーンの前記第１のセットが、トーンインデックス−３、−２、−１、０、１、２、および３に位置する７つのＤＣトーンを含み、ＤＣトーンの前記第２のセットが、トーンインデックス−１、０、および１に位置する３つのＤＣトーン、またはトーンインデックス０における１つのＤＣトーンを含む、Ｃ２９に記載の装置。
[Ｃ３６]  ＤＣトーンの前記第１のセットが、トーンインデックス−１、０、および１に位置する３つのＤＣトーンを含み、ＤＣトーンの前記第２のセットが、トーンインデックス−１、０、および１に位置する３つのＤＣトーンを含む、Ｃ２９に記載の装置。
[Ｃ３７]  ＤＣトーンの前記第１のセットが、トーンインデックス−５、−４、−３、−２、−１、０、１、２、３、４、および５に位置する１１個のＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ２９に記載の装置。
[Ｃ３８]  ＤＣトーンの前記第１のセットが、トーンインデックス−３、−２、−１、０、１、２、および３に位置する７つのＤＣトーンを含み、ＤＣトーンの前記第２のセットが、トーンインデックス−２、−１、０、１、および２に位置する５つのＤＣトーン、またはトーンインデックス−１、０、および１に位置する３つのＤＣトーンを含む、Ｃ２９に記載の装置。
[Ｃ３９]  前記第１のシンボル持続時間が前記第２のシンボル持続時間よりも２倍長く、前記第１の周波数帯域幅および前記第２の周波数帯域幅が２０メガヘルツであり、前記第１の有効な開始トーンインデックスが−１２２であり、前記第１の有効な終了トーンインデックスが１２２であり、前記第２の有効な開始トーンインデックスが−６１であり、前記第２の有効な終了トーンインデックスが６１である、Ｃ２９に記載の装置。
[Ｃ４０]  前記第１のシンボル持続時間が前記第２のシンボル持続時間よりも２倍長く、前記第１の周波数帯域幅および前記第２の周波数帯域幅が４０メガヘルツであり、前記第１の有効な開始トーンインデックスが−２５０であり、前記第１の有効な終了トーンインデックスが２５０であり、前記第２の有効な開始トーンインデックスが−１２５であり、前記第２の有効な終了トーンインデックスが１２５である、Ｃ２９に記載の装置。
[Ｃ４１]  前記第１のシンボル持続時間が前記第２のシンボル持続時間よりも２倍長く、前記第１の周波数帯域幅および前記第２の周波数帯域幅が８０メガヘルツであり、前記第１の有効な開始トーンインデックスが−５０６であり、前記第１の有効な終了トーンインデックスが５０６であり、前記第２の有効な開始トーンインデックスが−２５３であり、前記第２の有効な終了トーンインデックスが２５３である、Ｃ２９に記載の装置。
[Ｃ４２]  前記ＤＣトーンがゼロ振幅を有し、非ＤＣトーンが、ガードトーンと、データトーンと、パイロットトーンとを含み、ここにおいて、前記ガードトーンがゼロ振幅を有し、前記データトーンが、送信されるべきデータを含み、パイロットトーンが、チャネル推定のための既知の情報を含む、Ｃ２９に記載の装置。
[Ｃ４３]  ワイヤレスデバイスに関連付けられた、ワイヤレス通信のための実行可能コードを記憶しているコンピュータ可読媒体であって、
第１のシンボルタイプの第１のシンボル中でユーザデータを送信することと、ここにおいて、前記第１のシンボルタイプが、第１のシンボル持続時間と、第１の周波数帯域幅と、第１のトーンプランとを有し、前記第１のトーンプランが、第１の有効な開始トーンインデックスと、第１の有効な終了トーンインデックスと、直流（ＤＣ）トーンの第１のセットとを備える、
第２のシンボルタイプの第２のシンボル中でロングトレーニングフィールド（ＬＴＦ）を送信することと、ここにおいて、前記第２のシンボルタイプが、第２のシンボル持続時間と、第２の周波数帯域幅と、第２のトーンプランとを有し、前記第２のトーンプランが、第２の有効な開始トーンインデックスと、第２の有効な終了トーンインデックスと、ＤＣトーンの第２のセットとを備える、
を行うためのコードを備える、コンピュータ可読媒体。
【図１】
0006490801.tif 000008
【図２】
0006490801.tif 000009
【図３Ａ】
0006490801.tif 000010
【図３Ｂ】
0006490801.tif 000011
【図３Ｃ】
0006490801.tif 000012
【図４Ａ】
0006490801.tif 000013
【図４Ｂ】
0006490801.tif 000014
【図５】
0006490801.tif 000015
【図６】
0006490801.tif 000016
【図７】
0006490801.tif 000017